(57)【要約】【課題】  放電灯の状態によってランプ電圧の低下が発生した場合でも、放電灯の点灯中に無負荷検出回路による誤検出を防止した放電灯点灯装置、及び照明器具を提供する。【解決手段】  無負荷検出回路１０９は、フィラメントの直列回路における高電位側の極（３）に点灯用電圧を印加するＲ１２と、フィラメントの直列回路における低電位側の極（４）から導かれた電流によって充電されるコンデンサＣ１０と、コンデンサＣ１０の充電電圧Ｖｃ１０が予め設定された基準電圧ＶrefＮを超えた場合にトランジスタＱ１，Ｑ２の発振を開始して放電灯ＦＬ１，ＦＬ２へ電力供給を行わせる一方、充電電圧Ｖｃ１０が基準電圧ＶrefＮ以下である場合にトランジスタＱ１，Ｑ２の発振を停止させる制御回路部１０３と、放電灯ＦＬ１，ＦＬ２への電力供給が開始された後にコンデンサＣ１０の充電不足を補うための直流電圧Ｅ２を出力する発振時電圧供給源１１８とを備える。【選択図】図１
2008108639.tif 000002
【特許請求の範囲】
【請求項１】
点灯用のフィラメントを両端に有する複数の放電灯を、フィラメントを直列接続することにより放電灯の直列回路として構成し、外部から電力の供給を受け付ける受付部と、受付部により受け付けられた電力に基づき、放電灯の直列回路に点灯用電圧を供給することにより複数の放電灯を発光させる電力供給部と、直列に接続されているフィラメント部の不良を検出する異常検出部とを備えた放電灯点灯装置であって、
異常検出部は、受付部により外部からの電力供給の受付が開始されるときに前記直列に接続されているフィラメント部の不良を検出するための無負荷検出部と、電力供給部により点灯用電圧が供給されているときに前記直列に接続されているフィラメント部の不良を検出するためのフィラメント不良検出部とを備え、
無負荷検出部は、前記フィラメントの直列回路における高電位側の極に点灯用電圧を印加する第１の抵抗と、前記フィラメントの直列回路における低電位側の極から導かれた電流によって充電される第１のコンデンサと、第１のコンデンサの充電電圧が予め設定された第１の基準電圧を超えた場合に電力供給部から放電灯の直列回路へ電力供給を行わせる一方、第１のコンデンサの充電電圧が第１の基準電圧以下である場合に電力供給部による電力供給を停止させる第１の制御部と、第１のコンデンサの充電不足を補うための充電用電圧を出力する発振時電圧供給源とを備え、
フィラメント不良検出部は、フィラメント部の不良を検出するための検出用電圧を出力する検出用電圧源と、検出用電圧を分圧する第２、第３、及び第４の抵抗による直列回路と、第４の抵抗と並列接続された第２のコンデンサと、第３及び第４の抵抗間における接続点と前記低電位側の極とを接続する第５の抵抗とを備え、第２及び第３の抵抗間における接続点と前記高電位側の極とは接続されており、第３及び第４の抵抗間における接続点に生じた電圧が、予め設定された第２の基準電圧を超えた場合に電力供給部による電力供給を停止させる第２の制御部を備えるものであり、
電力供給部による電力供給が開始された後に、発振時電圧供給源は充電用電圧の出力を開始し、検出用電圧源は検出用電圧の出力を開始するものであることを特徴とする放電灯点灯装置。
【請求項２】
前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、
前記発振時電圧供給源及び検出用電圧源は、前記矩形波電圧を、充電用電圧及び検出用電圧として出力するものであることを特徴とする請求項１記載の放電灯点灯装置。
【請求項３】
前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、
第２のスイッチング素子と並列に接続された、第３のコンデンサと第１のトランスと第３のスイッチング素子とからなる直列回路を備え、
第１のトランスの第１の二次巻線が、第４のコンデンサを介して前記高電位側の極及び低電位側の極に接続され、
放電灯の発光開始前に、第３のスイッチング素子をオンさせることにより、第１のトランスの第１の二次巻線から前記フィラメントの直列回路へ予熱用電流を出力させると共に、放電灯の発光開始後に第３のスイッチング素子をオフさせる予熱制御部をさらに備えたことを特徴とする請求項１記載の放電灯点灯装置。
【請求項４】
前記発振時電圧供給源及び検出用電圧源は、前記第３のコンデンサと第１のトランスとの間の電圧を、充電用電圧及び検出用電圧として出力するものであることを特徴とする請求項３記載の放電灯点灯装置。
【請求項５】
前記電力供給部は、直流電圧を正極端子及び負極端子間に出力する直流電圧源と、正極端子及び負極端子間に接続された第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、第５のコンデンサと第２のトランスとを介して放電灯の直列回路への点灯用電圧として供給するものであり、
第２のトランスの第１の二次巻線は、第６のコンデンサを介して前記高電位側の極及び低電位側の極に接続され、
前記発振時電圧供給源及び検出用電圧源は、第２のトランスの第２の二次巻線から出力される電圧を、充電用電圧及び検出用電圧として出力するものであることを特徴とする請求項１記載の放電灯点灯装置。
【請求項６】
前記発振時電圧供給源は、本装置の制御電源を分流して充電用電圧を生成することを特徴とする請求項１記載の放電灯点灯装置。
【請求項７】
前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、
第２のスイッチング素子と並列に接続された、第３のコンデンサと第１のトランスとからなる直列回路を備え、
第１のトランスの二次巻線の出力によって本装置の制御電源を生成することを特徴とする請求項６記載の放電灯点灯装置。
【請求項８】
前記電力供給部は、直流電圧を正極端子及び負極端子間に出力する直流電圧源と、正極端子及び負極端子間に接続された第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、第５のコンデンサと第２のトランスとを介して放電灯の直列回路への点灯用電圧として供給するものであり、
第２のトランスの二次巻線の出力によって本装置の制御電源を生成することを特徴とする請求項６記載の放電灯点灯装置。
【請求項９】
前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、
第２のスイッチング素子の両端間に設けた第７のコンデンサの充電電流によって本装置の制御用電源を生成することを特徴とする請求項６記載の放電灯点灯装置。
【請求項１０】
前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、
第２のスイッチング素子と並列に接続された、第３のコンデンサと第１のトランスとからなる直列回路の第１のトランスの二次巻線の出力と、
矩形波電圧の供給経路に設けられた第２のトランスの二次巻線の出力と、
第２のスイッチング素子の両端間に設けた第７のコンデンサの充電電流とのうち、
少なくとも２つによって本装置の制御電源を生成することを特徴とする請求項６記載の放電灯点灯装置。
【請求項１１】
前記フィラメント不良検出部の第２の制御部は、前記受付部により電力の供給が受け付けられてから、予め設定された期間内は、前記第３及び第４の抵抗間における接続点に生じた電圧が第２の基準電圧を超えた場合であっても電力供給の停止を行わないことを特徴とする請求項１〜１０いずれか記載の放電灯点灯装置。
【請求項１２】
前記無負荷検出部の第１の制御部は、前記第１のコンデンサの充電電圧が第１の基準電圧を下回った場合、前記直列に接続されているフィラメント部の不良が解消されるまで電力供給を停止させ、
前記フィラメント不良検出部の第２の制御部は、前記第３及び第４の抵抗間における接続点に生じた電圧が第２の基準電圧を超えた場合、電力供給部による電力供給を所定期間停止させた後、電力供給部による電力供給を再び開始し、当該電力供給の停止が所定回数連続して発生した場合、所定のリセット動作が行われるまで電力供給部による電力供給を停止させることを特徴とする請求項１〜１１いずれか記載の放電灯点灯装置。
【請求項１３】
放電灯と、放電灯を点灯させる放電灯点灯装置を備える照明器具において、前記放電灯点灯装置は、請求項１〜１２のいずれかに記載の放電灯点灯装置であることを特徴とする照明器具。
【発明の詳細な説明】
【技術分野】
【０００１】
本発明は、放電灯点灯装置、及び照明器具に関するものである。
【背景技術】
【０００２】
図１２は、背景技術に係る放電灯点灯装置の構成を示す回路図である。図１２に示す放電灯点灯装置において、直流電圧Ｖｄｃを生成する図略の電源部と、直流電圧Ｖｄｃが印加されるトランジスタＱ１及びトランジスタＱ２のスイッチング素子による直列回路と、トランジスタＱ１，Ｑ２を交互にオン、オフさせることによりトランジスタＱ１，Ｑ２の接続点に矩形波電圧を生じさせる制御回路部２０１とを備えている。また、トランジスタＱ１，Ｑ２の接続点は、直流成分カット用コンデンサＣ１と抵抗Ｒ５との並列回路と、共振用トランスＴ１と、を介して放電灯ＦＬ１のフィラメントＦ１における一方の極（１）に接続されている。
【０００３】
制御回路部２０１は、コンパレータ２０２，２０３と、トランジスタＱ１，Ｑ２を所定の周期で交互にオン、オフさせるべく制御信号を出力するインバータ制御回路２０４と、インバータ制御回路２０４からの制御信号に応じてトランジスタＱ１，Ｑ２をオン、オフさせる駆動回路２０５とを備える。インバータ制御回路２０４は、コンパレータ２０２の出力信号ＶNLがハイレベル、かつコンパレータ２０３の出力信号ＶELがローレベルの場合に、トランジスタＱ１，Ｑ２をオン、オフさせることにより、放電灯ＦＬ１，ＦＬ２へ電力を供給させる一方、信号ＶNLがローレベルであるか、または信号ＶELがハイレベルであるかのいずれかの場合に、トランジスタＱ１，Ｑ２をオフさせて放電灯ＦＬ１，ＦＬ２への電力供給を停止させる。
【０００４】
また、フィラメントＦ１における他方の極（２）へは、抵抗Ｒ１１を介して直流電圧Ｖｄｃが供給される。また、直流電圧Ｖｄｃは、抵抗Ｒ１１、抵抗Ｒ３及び、抵抗Ｒ４とコンデンサＣ９との並列回路の直列回路を介してグラウンドに供給されており、抵抗Ｒ３と抵抗Ｒ４との接続点がダイオードＤ３を介してコンパレータ２０３の非反転入力端子に接続されている。さらに、コンデンサＣ１と共振用トランスＴ１との接続点は、抵抗Ｒ１及び、抵抗Ｒ２とコンデンサＣ７との並列回路の直列回路を介してグラウンドに接続されており、抵抗Ｒ１と抵抗Ｒ２との接続点がダイオードＤ１を介してコンパレータ２０３の非反転入力端子に接続されている。
【０００５】
そして、上記抵抗Ｒ１，Ｒ２，Ｒ３，Ｒ４，Ｒ５，Ｒ１１、コンデンサＣ７，Ｃ９、コンパレータ２０３によって、ＤＣ検出回路２０６が構成されている。ＤＣ検出回路２０６は、放電灯ＦＬ１，ＦＬ２のランプ電圧のＤＣ成分を検出することで、ランプの寿命末期状態や、放電灯ＦＬ１，ＦＬ２の点灯後に発生したフィラメントＦ１両端の極（１）（２）の接続不良や、フィラメントＦ１の断線等の不良状態を検出し、不良検出時には放電灯ＦＬ１，ＦＬ２を消灯させるための回路である。
【０００６】
放電灯ＦＬ１においてフィラメントＦ１と対をなすフィラメントＦ２と、放電灯ＦＬ２のフィラメントＦ３とは、接続部（７）で直列接続されて、放電灯ＦＬ１，ＦＬ２による放電灯直列回路が構成されており、この放電灯直列回路と共振用コンデンサＣ２とが並列に接続されている。
【０００７】
検出用電圧源２１２は、抵抗Ｒ８，Ｒ９，Ｒ１０を介してグラウンドに接続され、抵抗Ｒ１０に並列にコンデンサＣ８が接続され、抵抗Ｒ９と抵抗Ｒ１０との接続点がダイオードＤ２を介してコンパレータ２０３の非反転入力端子に接続されている。抵抗Ｒ８には、抵抗Ｒ６とコンデンサＣ４の直列回路が並列に接続されている。そして、抵抗Ｒ８，Ｒ９及びコンデンサＣ４の接続点が、フィラメントＦ２における接続部（７）とは反対側の極（３）と接続されている。また、フィラメントＦ３における接続部（７）とは反対側の極（４）は、抵抗Ｒ７を介して抵抗Ｒ９，Ｒ１０の接続点と接続されている。そして、抵抗Ｒ６，Ｒ７，Ｒ８，Ｒ９，Ｒ１０，コンデンサＣ８、検出用電圧源２１２、及びコンパレータ２０３によって、フィラメント不良検出回路２０７が構成されている。フィラメント不良検出回路２０７は、放電灯ＦＬ１，ＦＬ２の点灯後に発生した極（３）、極（４）、及び接続部（７）のいずれかの断線や接触不良等の不良状態を検出し、不良検出時には放電灯ＦＬ１，ＦＬ２を消灯させるための回路である。
【０００８】
また、フィラメントＦ１の極（１）は、抵抗Ｒ１２を介してフィラメントＦ２の極（３）に接続し、フィラメントＦ３の極（４）は、抵抗Ｒ１３，及び逆接続のツェナーダイオードＺＤ１を介してグラウンドに接続され、ツェナーダイオードＺＤ１と並列にダイオードＤ４と抵抗Ｒ１４との直列回路が接続され、抵抗Ｒ１４と並列にコンデンサＣ１０が接続され、ダイオードＤ４とコンデンサＣ１０との接続点がコンパレータ２０２の非反転入力端子に接続されている。そして、抵抗Ｒ１１，Ｒ１２，Ｒ１３，Ｒ１４，ダイオードＤ４，ツェナーダイオードＺＤ１、コンデンサＣ１０、及びコンパレータ２０２によって、無負荷検出回路２０８が構成されている。無負荷検出回路２０８は、電源投入時に、極（１）（２）（３）（４）の接続不良や、フィラメントＦ１，Ｆ２，Ｆ３の断線等の不良状態を検出し、不良検出時には放電灯ＦＬ１，ＦＬ２を点灯させないための回路である。
【０００９】
また、直流電圧Ｖｄｃは、抵抗Ｒ１５，Ｒ１６，Ｒ１７を介してグラウンドに接続され、抵抗Ｒ１５と抵抗Ｒ１６との接続点が、放電灯ＦＬ２においてフィラメントＦ３と対をなすフィラメントＦ４の極（５）と接続されている。そして、抵抗Ｒ１７と並列にコンデンサＣ１１が接続され、抵抗Ｒ１７とコンデンサＣ１１との接続点がトランジスタＱ３のベースに接続され、トランジスタＱ３のエミッタがグラウンドに接続され、トランジスタＱ３のコレクタが抵抗Ｒ１８を介して抵抗Ｒ１３とダイオードＤ４との接続点に接続されている。そして、抵抗Ｒ１５，Ｒ１６，Ｒ１７，Ｒ１８、Ｃ１１、及びトランジスタＱ３によって、無負荷検出回路２１３が構成されている。無負荷検出回路２１３は、電源投入時に、極（５）、フィラメントＦ４における極（５）とは反対側の極（６）の接続不良や、フィラメントＦ４の断線等の不良状態を検出し、不良検出時には放電灯ＦＬ１，ＦＬ２を点灯させないための回路である。
【００１０】
トランスＴ１は、二次巻線２０９，２１０，２１１を備えている。そして、二次巻線２０９の一方端ａは、コンデンサＣ３を介して極（１）と接続され、他方端ｂは、極（２）と接続されている。二次巻線２１０の一方端ｃは、コンデンサＣ４を介して極（３）と接続され、他方端ｄは、極（４）と接続されている。二次巻線２１１の一方端ｅは、コンデンサＣ５を介して極（６）と接続され、他方端ｆは、極（５）と接続されている。そして、極（１）〜極（６）及び接続部（７）は、例えばコネクタ等で構成されており、ユーザが放電灯点灯装置から放電灯ＦＬ１，ＦＬ２を容易に脱着させることができる。
【００１１】
次に、このように構成されたＤＣ検出回路２０６、フィラメント不良検出回路２０７、無負荷検出回路２０８、無負荷検出回路２１３の各動作を説明する。
【００１２】
まず、正常状態では、外部から図略の電源部に電力が供給されると直流電圧Ｖｄｃが発生し、無負荷検出回路２１３において、直流電圧Ｖｄｃからの直流バイアス電圧が抵抗Ｒ１５、Ｒ１６を介して、抵抗Ｒ１７、コンデンサＣ１１、トランジスタＱ３のベースへ印加される。また同時にＲ１５、極（５）、フィラメントＦ４、極（６）の経路でフィラメントＦ４へバイアス電圧が印加される。しかしながら、フィラメント抵抗値は概ね数Ω〜数十Ωであり、抵抗Ｒ１５，Ｒ１６，Ｒ１７は共振負荷回路に影響が無いような比較的大きな抵抗値（約数十ｋΩ〜数ＭΩ）で構成されている。従って極（５），（６）間に発生する電圧が非常に小さいため、並列的に接続された抵抗Ｒ１６や抵抗Ｒ１７に印加される電圧は極めて低く、トランジスタＱ３のベースへの電流供給はほとんど無い。よって、トランジスタＱ３はオフしている。
【００１３】
また、無負荷検出回路２０８においては、直流電圧Ｖｄｃからの直流バイアス電圧が、抵抗Ｒ１１、フィラメントＦ１、抵抗Ｒ１２、フィラメントＦ２、フィラメントＦ３、抵抗Ｒ１３、ダイオードＤ４を介してコンデンサＣ１０と抵抗Ｒ１４の並列回路に印加され、コンデンサＣ１０の充電電圧Ｖｃ１０が上昇する。従って、コンパレータ２０２に入力されるコンデンサＣ１０の充電電圧Ｖｃ１０は、基準電圧ＶrefNを超えるので、コンパレータ２０２の出力信号ＶNLがハイレベルでインバータ制御回路２０４へ出力される。そうすると、インバータ制御回路２０４によって、トランジスタＱ１，Ｑ２のオン・オフ動作（インバータの発振動作）が開始され、放電灯ＦＬ１，ＦＬ２への電力供給が開始され、放電灯ＦＬ１，ＦＬ２が点灯する。
【００１４】
そして、放電灯ＦＬ１，ＦＬ２への電力供給が開始されると、放電灯ＦＬ１，ＦＬ２の両端には高周波電圧が発生し、ツェナーダイオードＺＤ１において、高周波電圧が半波整流され、ツェナーダイオードＺＤ１によってピーク部をクランプした電圧波形が発生する。この電圧波形が、ダイオードＤ４とコンデンサＣ１０と抵抗Ｒ１４によりフィルタリングされ、トランジスタＱ１，Ｑ２のオン・オフ動作が開始されてからも充電電圧Ｖｃ１０の電圧が基準電圧ＶrefNを超えるレベルに維持される。
【００１５】
次に、ＤＣ検出回路２０６においては、直流電圧Ｖｄｃが、抵抗Ｒ１１，Ｒ１，Ｒ２、及び抵抗Ｒ１１，Ｒ３，Ｒ４によって各々分圧され、抵抗Ｒ２，Ｒ４の各両端電圧によって、コンデンサＣ７，Ｃ９が各々充電されるが、抵抗Ｒ１，Ｒ２の直列回路及び抵抗Ｒ３，Ｒ４の直列回路と並列に放電灯ＦＬ１，ＦＬ２が接続されているため、放電灯ＦＬ１，ＦＬ２が点灯すると、放電灯ＦＬ１，ＦＬ２のインピーダンスが低下する結果、コンデンサＣ７と抵抗Ｒ２との並列回路、及びコンデンサＣ９と抵抗Ｒ４との並列回路には、電圧がほとんど生じない。従って、ダイオードＤ１，Ｄ３を介してコンパレータ２０３に入力されるコンデンサＣ７の充電電圧Ｖｃ７、及びコンデンサＣ９の充電電圧Ｖｃ９は、基準電圧ＶrefEを超えないので、コンパレータ２０３の出力信号ＶELがローレベルでインバータ制御回路２０４へ出力され、放電灯ＦＬ１，ＦＬ２への電力供給は停止されることなく継続される。
【００１６】
また、フィラメント不良検出回路２０７においては、検出用電圧源２１２が、抵抗Ｒ６，Ｒ７と抵抗Ｒ８，Ｒ９との並列回路と、抵抗Ｒ１０とによって分圧され、抵抗Ｒ１０の両端電圧によって、コンデンサＣ８が充電されるが、抵抗Ｒ９，Ｒ１０の直列回路と並列に放電灯ＦＬ２が接続されているため、放電灯ＦＬ１，ＦＬ２が点灯すると、放電灯ＦＬ２のインピーダンスが低下する結果、コンデンサＣ８と抵抗Ｒ１０との並列回路には、電圧がほとんど生じない。従って、ダイオードＤ２を介してコンパレータ２０３に入力されるコンデンサＣ８の充電電圧Ｖｃ８は、基準電圧ＶrefEを超えないので、コンパレータ２０３の出力信号ＶELがローレベルでインバータ制御回路２０４へ出力され、放電灯ＦＬ１，ＦＬ２への電力供給は停止されることなく継続される。
【００１７】
次に、電源投入時（起動時）に、極（１）（２）（３）（４）の接続不良や、フィラメントＦ１，Ｆ２，Ｆ３の断線が発生した場合、直流電圧ＶｄｃからコンデンサＣ１０への直流バイアス経路が遮断されるため、コンデンサＣ１０は充電されず、コンパレータ２０２に入力されるコンデンサＣ１０の充電電圧Ｖｃ１０は基準電圧ＶrefNを下回るので、コンパレータ２０２の出力信号ＶNLがローレベルでインバータ制御回路２０４へ出力される。そうすると、インバータ制御回路２０４によるトランジスタＱ１，Ｑ２のオン・オフ動作が開始されず、放電灯ＦＬ１，ＦＬ２は点灯しない。
【００１８】
また、電源投入時に、極（５）（６）の接続不良や、フィラメントＦ４の断線の断線が発生した場合、極（５）−（６）間に発生する電圧が大きくなり、極（５）−（６）間に並列的に接続された抵抗Ｒ１６や抵抗Ｒ１７に印加される電圧も増加し、トランジスタＱ３のベース電流も増加するので、トランジスタＱ３がオンする。そうすると、抵抗Ｒ１８は、トランジスタＱ３及び抵抗Ｒ１８の直列回路と並列に接続されている抵抗Ｒ１４の分圧比を著しく低下させる抵抗値に設定されているため、コンデンサＣ１０の充電電圧Ｖｃ１０が基準電圧ＶrefNを下回る。そうすると、コンパレータ２０２から信号ＶNLがローレベルで出力され、インバータ制御回路２０４によるトランジスタＱ１，Ｑ２のオン・オフ動作が開始されず、放電灯ＦＬ１，ＦＬ２は点灯しない。
【００１９】
次に、放電灯ＦＬ１，ＦＬ２が点灯している状態で、極（１）（２）（３）（４）、接続部（７）の断線や接触不良が発生した場合、ＤＣ検出回路２０６の抵抗Ｒ２，Ｒ４、またはフィラメント不良検出回路２０７の抵抗Ｒ１０の両端電圧が増大し、コンデンサＣ７の充電電圧Ｖｃ７、コンデンサＣ８の充電電圧Ｖｃ８、コンデンサＣ９の充電電圧Ｖｃ９のうち、最も高い電圧値の充電電圧Ｖｃｎがコンパレータ２０３に入力される。そして、充電電圧Ｖｃｎが基準電圧ＶrefEを超えると、コンパレータ２０３から信号ＶELがハイレベルで出力され、インバータ制御回路２０４によるトランジスタＱ１，Ｑ２のオン・オフ動作が停止して、放電灯ＦＬ１，ＦＬ２への電力供給が遮断され、放電灯ＦＬ１，ＦＬ２は消灯する。
【００２０】
そして、インバータ制御回路２０４は、上記のようにコンパレータ２０２の出力ＶNLがローレベルになると、トランジスタＱ１，Ｑ２のオン・オフ動作を停止させ（待機モード）、放電灯ＦＬ１，ＦＬ２の再装着、交換等によって、極（１）（２）（３）（４）（５）（６）の接続不良や、フィラメントＦ１，Ｆ２，Ｆ３，Ｆ４の断線が解消されると、コンパレータ２０２の出力ＶNLがハイレベルとなるので、トランジスタＱ１，Ｑ２のオン・オフ動作を開始して、放電灯ＦＬ１，ＦＬ２を点灯させる。
【００２１】
一方、コンパレータ２０３の出力ＶELがハイレベルのとき、インバータ制御回路２０４は、トランジスタＱ１，Ｑ２のオン・オフ動作を所定期間停止させた後、再び開始させる。そして、コンパレータ２０３の出力ＶELによる発振停止が所定回数連続して発生した場合には、以後の発振を停止させる（ラッチモード）。そして、電源の再投入、放電灯ＦＬ１，ＦＬ２の再装着等の所定のリセット動作が行われるまで発振停止状態を継続させ、リセット動作が行われると、トランジスタＱ１，Ｑ２のオン・オフ動作を開始して、放電灯ＦＬ１，ＦＬ２を点灯させる。
【００２２】
以上のように、放電灯点灯装置では、極（１）（２）（３）（４）（５）（６）、接続部（７）、フィラメントＦ１，Ｆ２，Ｆ３，Ｆ４の不良が検出されると、放電灯ＦＬ１，ＦＬ２が点灯しない、または消灯するように構成されている（例えば、特許文献１参照。）。
【特許文献１】特開２００５−２２２８９３号公報
【発明の開示】
【発明が解決しようとする課題】
【００２３】
ところで、上述の従来の放電灯点灯装置は、異常負荷（例えば、放電灯の片エミレス状態）や周囲温度の変化によってランプ電圧が低下すると、無負荷検出回路２０８のコンデンサＣ１０が充電不足になり、放電灯ＦＬ１，ＦＬ２が正常に接続されているにも関わらず充電電圧Ｖｃ１０が低下し、コンパレータ２０２からローレベルの信号ＶNLが出力されて、トランジスタＱ１，Ｑ２のオン・オフ動作が停止するという、誤動作による期待外動作が発生することがある。
【００２４】
この異常負荷やランプ周温変化によるランプ電圧の変動について、図１３（ａ）〜（ｈ）を用いて説明する。図１３（ａ）は、正常な放電灯ＦＬ１，ＦＬ２を接続した場合の各ランプ電圧ＶＬ１，ＶＬ２であり、両ランプ電圧は正常な振幅となる。
【００２５】
対して、放電灯ＦＬ１のフィラメントＦ１がエミレス状態になった場合、図１３（ｂ）に示すように、異常な放電灯ＦＬ１のランプ電圧ＶＬ１には負方向のＤＣ成分ＤＣｎが発生し、正常な放電灯ＦＬ２のランプ電圧ＶＬ２は振幅が小さくなる。また、放電灯ＦＬ１のフィラメントＦ２がエミレス状態になった場合、図１３（ｃ）に示すように、異常な放電灯ＦＬ１のランプ電圧ＶＬ１には正方向のＤＣ成分ＤＣｐが発生し、正常な放電灯ＦＬ２のランプ電圧ＶＬ２は振幅が小さくなる。また、放電灯ＦＬ２のフィラメントＦ３がエミレス状態になった場合、図１３（ｄ）に示すように、正常な放電灯ＦＬ１のランプ電圧ＶＬ１には正常な振幅が発生し、異常な放電灯ＦＬ２のランプ電圧ＶＬ２には負方向のＤＣ成分ＤＣｎが発生する。また、放電灯ＦＬ１の両フィラメントＦ１，Ｆ２がエミレス状態になった場合、図１３（ｅ）に示すように、異常な放電灯ＦＬ１のランプ電圧ＶＬ１は振幅が大きくなり、正常な放電灯ＦＬ２のランプ電圧ＶＬ２は振幅が小さくなる。
【００２６】
また、周囲温度の変化によってランプ電圧が低下した場合、図１３（ｆ）に示すように放電灯ＦＬ１，ＦＬ２のランプ電圧ＶＬ１，ＶＬ２は振幅が小さくなる。
【００２７】
上記図１３（ｂ）〜（ｅ）の場合、無負荷検出回路２０８のコンデンサＣ１０が充電不足になり、上記図１３（ｆ）の場合もランプ電圧の低下が大きい場合には無負荷検出回路２０８のコンデンサＣ１０が充電不足になり、放電灯ＦＬ１，ＦＬ２が接続されているにも関わらずコンパレータ２０２からローレベルの信号ＶNLが出力されて、トランジスタＱ１，Ｑ２のオン・オフ動作が停止する。しかし、全てのフィラメントＦ１，Ｆ２，Ｆ３，Ｆ４、極（１）（２）（３）（４）が接続されているため、直流電圧Ｖｄｃから、抵抗Ｒ１１、フィラメントＦ１、抵抗Ｒ１２，Ｒ１３、及びダイオードＤ４を介してコンデンサＣ１０へ充電電流を供給する直流バイアス経路は導通しており、再度の起動は可能である。そして再起動後に予熱モードを経て、放電灯ＦＬ１，ＦＬ２の直列回路に印加される共振電圧が上昇する始動モードに移行すると、放電灯ＦＬ１，ＦＬ２の両端に発生した高周波電圧によって、抵抗Ｒ１３、ダイオードＤ４を介してコンデンサＣ１０が充電されるのであるが、上記異常負荷または周囲温度の変化のためランプ電圧が低く、再びコンデンサＣ１０が充電不足になり、発振停止する。このような間欠発振が繰り返されると、放電灯点灯装置５内の構成部品のストレス増加に伴う異常発熱、故障、発火の恐れが生じ、例えばランプやソケット等の異常発熱にもつながる。また、周囲温度の変化が原因の場合は、「正常負荷接続時には正常点灯を継続すること」という商品仕様を満足せず、予熱モードの繰り返しによるフィラメント温度の過剰な上昇が起こり、ランプの短寿命化が懸念される。
【００２８】
すなわち、放電灯ＦＬ１，ＦＬ２の点灯中に、放電灯ＦＬ１，ＦＬ２のエミレス状態や、あるいは周囲温度の変化によるランプ電圧の低下によって、コンデンサＣ１０の充電電圧Ｖｃ１０が低下した場合に、無負荷検出回路２０８が、放電灯ＦＬ１，ＦＬ２が正常に装着されているにも関わらず、極（１）（２）（３）（４）の接続不良や、フィラメントＦ１，Ｆ２，Ｆ３の断線等の不良状態が発生していると誤検出して、放電灯ＦＬ１，ＦＬ２が消灯してしまうという問題があった。
【００２９】
なお、放電灯ＦＬ２のフィラメントＦ４がエミレス状態になった場合、図１３（ｇ）に示すように、正常な放電灯ＦＬ１のランプ電圧ＶＬ１には正方向のＤＣ成分ＤＣｐが発生し、異常な放電灯ＦＬ２のランプ電圧ＶＬ２にも正方向のＤＣ成分ＤＣｐが発生する。また、放電灯ＦＬ２の両フィラメントＦ３，Ｆ４がエミレス状態になった場合、図１３（ｈ）に示すように、異常な放電灯ＦＬ１のランプ電圧ＶＬ１は振幅が大きくなり、正常な放電灯ＦＬ２のランプ電圧ＶＬ２も振幅が大きくなる。これら図１３（ｇ）（ｈ）の場合、無負荷検出回路２０８のコンデンサＣ１０は十分に充電されるので、トランジスタＱ１，Ｑ２のオン・オフ動作は継続される。
【００３０】
本発明は、上記事由に鑑みてなされたものであり、その目的は、放電灯の状態によってランプ電圧の低下が発生した場合でも、放電灯の点灯中に無負荷検出回路による誤検出を防止した放電灯点灯装置、及び照明器具を提供することにある。
【課題を解決するための手段】
【００３１】
請求項１の発明は、点灯用のフィラメントを両端に有する複数の放電灯を、フィラメントを直列接続することにより放電灯の直列回路として構成し、外部から電力の供給を受け付ける受付部と、受付部により受け付けられた電力に基づき、放電灯の直列回路に点灯用電圧を供給することにより複数の放電灯を発光させる電力供給部と、直列に接続されているフィラメント部の不良を検出する異常検出部とを備えた放電灯点灯装置であって、異常検出部は、受付部により外部からの電力供給の受付が開始されるときに前記直列に接続されているフィラメント部の不良を検出するための無負荷検出部と、電力供給部により点灯用電圧が供給されているときに前記直列に接続されているフィラメント部の不良を検出するためのフィラメント不良検出部とを備え、無負荷検出部は、前記フィラメントの直列回路における高電位側の極に点灯用電圧を印加する第１の抵抗と、前記フィラメントの直列回路における低電位側の極から導かれた電流によって充電される第１のコンデンサと、第１のコンデンサの充電電圧が予め設定された第１の基準電圧を超えた場合に電力供給部から放電灯の直列回路へ電力供給を行わせる一方、第１のコンデンサの充電電圧が第１の基準電圧以下である場合に電力供給部による電力供給を停止させる第１の制御部と、第１のコンデンサの充電不足を補うための充電用電圧を出力する発振時電圧供給源とを備え、フィラメント不良検出部は、フィラメント部の不良を検出するための検出用電圧を出力する検出用電圧源と、検出用電圧を分圧する第２、第３、及び第４の抵抗による直列回路と、第４の抵抗と並列接続された第２のコンデンサと、第３及び第４の抵抗間における接続点と前記低電位側の極とを接続する第５の抵抗とを備え、第２及び第３の抵抗間における接続点と前記高電位側の極とは接続されており、第３及び第４の抵抗間における接続点に生じた電圧が、予め設定された第２の基準電圧を超えた場合に電力供給部による電力供給を停止させる第２の制御部を備えるものであり、電力供給部による電力供給が開始された後に、発振時電圧供給源は充電用電圧の出力を開始し、検出用電圧源は検出用電圧の出力を開始するものであることを特徴とする。
【００３２】
この発明によれば、放電灯点灯装置において、発振時電圧供給源が、電力供給部による電力供給が開始された後に第１のコンデンサの充電不足を補うための充電用電圧を出力するので、放電灯の状態によってランプ電圧の低下が発生した場合でも、放電灯の点灯中に無負荷検出回路による誤検出を防止することができる。例えば、放電灯の点灯中に、エミレス状態等の異常負荷によるランプ電圧の低下や、周囲温度の変化によるランプ電圧の低下が発生しても、無負荷検出部の誤検出によって消灯することがないので、例えば、間欠発振を繰り返すこともなく、異常負荷接続時においては放電灯点灯装置内の構成部品のストレス増加に伴う異常発熱、故障、発火の恐れや、ランプやソケット等の異常発熱を回避でき、周囲温度の変化時においては、「正常負荷接続時には正常点灯を継続すること」という商品仕様を満足して、予熱モードの繰り返しによるフィラメント温度の過剰な上昇や、ランプの短寿命化を回避できる。
【００３３】
請求項２の発明は、請求項１において、前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、前記発振時電圧供給源及び検出用電圧源は、前記矩形波電圧を、充電用電圧及び検出用電圧として出力するものであることを特徴とする。
【００３４】
この発明によれば、電力供給部による電力供給が開始された後に充電用電圧を出力する発振時電圧供給源を構成できる。
【００３５】
請求項３の発明は、請求項１において、前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、第２のスイッチング素子と並列に接続された、第３のコンデンサと第１のトランスと第３のスイッチング素子とからなる直列回路を備え、第１のトランスの第１の二次巻線が、第４のコンデンサを介して前記高電位側の極及び低電位側の極に接続され、放電灯の発光開始前に、第３のスイッチング素子をオンさせることにより、第１のトランスの第１の二次巻線から前記フィラメントの直列回路へ予熱用電流を出力させると共に、放電灯の発光開始後に第３のスイッチング素子をオフさせる予熱制御部をさらに備えたことを特徴とする。
【００３６】
この発明によれば、放電灯の予熱を行って始動特性の向上を図るとともに、点灯時には予熱電流の出力を停止して省電力化を図ることができる。
【００３７】
請求項４の発明は、請求項３において、前記発振時電圧供給源及び検出用電圧源は、前記第３のコンデンサと第１のトランスとの間の電圧を、充電用電圧及び検出用電圧として出力するものであることを特徴とする。
【００３８】
この発明によれば、電力供給部による電力供給が開始された後に充電用電圧を出力する発振時電圧供給源を構成できる。
【００３９】
請求項５の発明は、請求項１において、前記電力供給部は、直流電圧を正極端子及び負極端子間に出力する直流電圧源と、正極端子及び負極端子間に接続された第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、第５のコンデンサと第２のトランスとを介して放電灯の直列回路への点灯用電圧として供給するものであり、第２のトランスの第１の二次巻線は、第６のコンデンサを介して前記高電位側の極及び低電位側の極に接続され、前記発振時電圧供給源及び検出用電圧源は、第２のトランスの第２の二次巻線から出力される電圧を、充電用電圧及び検出用電圧として出力するものであることを特徴とする。
【００４０】
この発明によれば、電力供給部による電力供給が開始された後に充電用電圧を出力する発振時電圧供給源を構成できる。
【００４１】
請求項６の発明は、請求項１において、前記発振時電圧供給源は、本装置の制御電源を分流して充電用電圧を生成することを特徴とする。
【００４２】
この発明によれば、制御電源と発振時電圧供給源とを同一の電源から生成することで、構成の簡略化を図ることができる。
【００４３】
請求項７の発明は、請求項６において、前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、第２のスイッチング素子と並列に接続された、第３のコンデンサと第１のトランスとからなる直列回路を備え、第１のトランスの二次巻線の出力によって本装置の制御電源を生成することを特徴とする。
【００４４】
この発明によれば、発振時電圧供給源と兼用可能な制御電源を構成できる。
【００４５】
請求項８の発明は、請求項６において、前記電力供給部は、直流電圧を正極端子及び負極端子間に出力する直流電圧源と、正極端子及び負極端子間に接続された第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、第５のコンデンサと第２のトランスとを介して放電灯の直列回路への点灯用電圧として供給するものであり、第２のトランスの二次巻線の出力によって本装置の制御電源を生成することを特徴とする。
【００４６】
この発明によれば、発振時電圧供給源と兼用可能な制御電源を構成できる。
【００４７】
請求項９の発明は、請求項６において、前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、第２のスイッチング素子の両端間に設けた第７のコンデンサの充電電流によって本装置の制御用電源を生成することを特徴とする。
【００４８】
この発明によれば、発振時電圧供給源と兼用可能な制御電源を構成できる。
【００４９】
請求項１０の発明は、請求項６において、前記電力供給部は、直流電圧を出力する直流電圧源と、直流電圧源から出力された直流電圧が印加される第１のスイッチング素子及び第２のスイッチング素子による直列回路とを備え、第１及び第２のスイッチング素子を交互にオン、オフさせることにより第１及び第２のスイッチング素子間の接続点から出力された矩形波電圧を、放電灯の直列回路への点灯用電圧として供給するものであり、第２のスイッチング素子と並列に接続された、第３のコンデンサと第１のトランスとからなる直列回路の第１のトランスの二次巻線の出力と、矩形波電圧の供給経路に設けられた第２のトランスの二次巻線の出力と、第２のスイッチング素子の両端間に設けた第７のコンデンサの充電電流とのうち、少なくとも２つによって本装置の制御電源を生成することを特徴とする。
【００５０】
この発明によれば、発振時電圧供給源と兼用可能な制御電源を構成できる。
【００５１】
請求項１１の発明は、請求項１乃至１０いずれかにおいて、前記フィラメント不良検出部の第２の制御部は、前記受付部により電力の供給が受け付けられてから、予め設定された期間内は、前記第３及び第４の抵抗間における接続点に生じた電圧が第２の基準電圧を超えた場合であっても電力供給の停止を行わないことを特徴とする。
【００５２】
この発明によれば、電源投入時の過渡特性による点灯不能状態を回避できる。
【００５３】
請求項１２の発明は、請求項１乃至１１いずれかにおいて、前記無負荷検出部の第１の制御部は、前記第１のコンデンサの充電電圧が第１の基準電圧を下回った場合、前記直列に接続されているフィラメント部の不良が解消されるまで電力供給を停止させ、前記フィラメント不良検出部の第２の制御部は、前記第３及び第４の抵抗間における接続点に生じた電圧が第２の基準電圧を超えた場合、電力供給部による電力供給を所定期間停止させた後、電力供給部による電力供給を再び開始し、当該電力供給の停止が所定回数連続して発生した場合、所定のリセット動作が行われるまで電力供給部による電力供給を停止させることを特徴とする。
【００５４】
この発明によれば、無負荷検出時は放電灯が正常に装着されるまで電力供給を停止させ、フィラメント不良検出時は所定回数まで再起動させることで、安全面と利便性とを両立させている。
【００５５】
請求項１３の発明は、放電灯と、放電灯を点灯させる放電灯点灯装置を備える照明器具において、前記放電灯点灯装置は、請求項１〜１２のいずれかに記載の放電灯点灯装置であることを特徴とする。
【００５６】
この発明によれば、照明器具において、放電灯の状態によってランプ電圧の低下が発生した場合でも、放電灯の点灯中に無負荷検出回路による誤検出を防止することができる。
【発明の効果】
【００５７】
以上説明したように、本発明では、放電灯の状態によってランプ電圧の低下が発生した場合でも、放電灯の点灯中に無負荷検出回路による誤検出を防止することができるという効果がある。
【発明を実施するための最良の形態】
【００５８】
以下、本発明の実施の形態を図面に基づいて説明する。
【００５９】
（第１実施形態）
図２は、本発明の第１の実施形態に係る照明器具の外観の一例を示す斜視図である。図２に示す照明器具１は、照明器具本体２と、照明器具本体２に立設された、放電灯ＦＬ１，ＦＬ２を照明器具１に取り付けるためのコネクタ４ａ，４ｂ，４ｃ，４ｄとを備える。そして、照明器具本体２の内部には、放電灯点灯装置５が格納されている。
【００６０】
図１は、図２に示す照明器具１に搭載される放電灯点灯装置５の構成の一例を示す回路図である。図１に示す放電灯点灯装置５は、商用電源Ｖａｃの入力を受け付ける電源コネクタ１０１と、電源コネクタ１０１を介して供給された商用電源Ｖａｃから直流電圧Ｖｄｃを生成し、直流電源ラインＬを介して放電灯点灯装置５の各部へ供給する電源部１０２と、直流電源ラインＬとグラウンドとの間に介設されるトランジスタＱ１（第１のスイッチング素子）及びトランジスタＱ２（第２のスイッチング素子）のスイッチング素子による直列回路と、トランジスタＱ１，Ｑ２を交互にオン、オフさせることによりトランジスタＱ１，Ｑ２の接続点に高周波の矩形波電圧を生じさせてインバータとして機能させ、放電灯ＦＬ１，ＦＬ２へ発光用の電力を供給させる制御回路部１０３と、トランジスタＱ１，Ｑ２のオン・オフ動作によって放電灯ＦＬ１，ＦＬ２を発光させるための電力供給が開始されてから、直流電圧Ｅ１の出力を開始する検出用電圧源１１５、及び直流電圧Ｅ２の出力を開始する発振時電圧供給源１１８とを備えている。
【００６１】
また、トランジスタＱ１，Ｑ２の接続点は、直流成分カット用コンデンサＣ１と抵抗Ｒ５との並列回路と、共振用トランスＴ１とを介して放電灯ＦＬ１のフィラメントＦ１における一方の極（１）に接続されている。そして、放電灯ＦＬ１，ＦＬ２が直列に接続されることにより放電灯直列回路が構成され、この放電灯直列回路と共振用コンデンサＣ２とが並列に接続されている。さらに、トランスＴ１、コンデンサＣ２、及び放電灯ＦＬ１，ＦＬ２によって、共振負荷回路が構成されている。
【００６２】
制御回路部１０３は、コンパレータ１０４，１０５と、トランジスタＱ１，Ｑ２を所定の周期で交互にオン、オフさせるべく制御信号を出力するインバータ制御回路１０６と、インバータ制御回路１０６からの制御信号に応じてトランジスタＱ１，Ｑ２をオン、オフさせる駆動回路１０７とを備える。インバータ制御回路１０６は、例えばＣＰＵ（Central Processing Unit）や、タイマー回路を用いて構成されており、トランジスタＱ１，Ｑ２をオン、オフさせる周波数を制御してインバータとして動作させるための制御部で、コンパレータ１０４の出力信号ＶNLがハイレベル、かつコンパレータ１０５の出力信号ＶELがローレベルの場合に、トランジスタＱ１，Ｑ２を交互にオン、オフさせることによりインバータの発振動作を開始させ、放電灯ＦＬ１，ＦＬ２へ電力を供給させる一方、信号ＶNLがローレベルであるか、または信号ＶELがハイレベルであるかのいずれかの場合に、トランジスタＱ１，Ｑ２をオフさせて放電灯ＦＬ１，ＦＬ２への電力供給を停止させる。また、インバータ制御回路１０６は、電源投入から一定の期間、コンパレータ１０５の出力信号ＶELがハイレベルになった場合であっても、放電灯ＦＬ１，ＦＬ２への電力供給を停止させないマスク機能を有しており、この一定の期間をマスク期間と称す。
【００６３】
放電灯ＦＬ１においてフィラメントＦ１と対をなすフィラメントＦ２と、放電灯ＦＬ２のフィラメントＦ３とは、接続部（７）で直列接続されて、放電灯ＦＬ１，ＦＬ２による放電灯直列回路が構成されており、この放電灯直列回路と共振用コンデンサＣ２とが並列に接続されている。すなわち、フィラメントＦ２，Ｆ３、接続部（７）、フィラメントＦ２の高電位側の極（３）、及びフィラメントＦ３の低電位側の極（４）が、「直列に接続されているフィラメント部」に相当する。
【００６４】
コンデンサＣ１と共振用トランスＴ１との接続点は、抵抗Ｒ１，Ｒ２を介してグラウンドに接続され、抵抗Ｒ２と並列に、コンデンサＣ７が接続されている。また、コンデンサＣ７と抵抗Ｒ１との接続点が、ダイオードＤ１を介してコンパレータ１０５の非反転入力端子に接続されている。そして、抵抗Ｒ１，Ｒ２、コンデンサＣ７、コンパレータ１０５によって、負荷の直流成分を検出するＤＣ検出回路１１４が構成されている。
【００６５】
また、フィラメントＦ１における他方の極（２）は、抵抗Ｒ１１を介して直流電源ラインＬと接続されている。極（２）は、抵抗Ｒ３と、抵抗Ｒ４とコンデンサＣ９の並列回路との直列回路を介してグラウンドに接続されており、抵抗Ｒ３と抵抗Ｒ４の接続点がダイオードＤ３を介してコンパレータ１０５の非反転入力端子に接続されている。そして、抵抗Ｒ３，Ｒ４，Ｒ１１、コンデンサＣ７、コンパレータ１０５によって、負荷の直流成分を検出するＤＣ検出回路１１６が構成されている。ＤＣ検出回路１１４，１１６は、放電灯ＦＬ１，ＦＬ２のランプ電圧のＤＣ成分を検出することで、ランプの寿命末期状態や、放電灯ＦＬ１，ＦＬ２の点灯後に発生したフィラメントＦ１両端の極（１）（２）の接続不良や、フィラメントＦ１の断線等の不良状態を検出し、不良検出時には放電灯ＦＬ１，ＦＬ２を消灯させるための回路である。
【００６６】
また、検出用電圧源１１５は、抵抗Ｒ８（第２の抵抗），Ｒ９（第３の抵抗），Ｒ１０（第４の抵抗）を介してグラウンドに接続され、抵抗Ｒ１０と並列にコンデンサＣ８（第２のコンデンサ）が接続され、抵抗Ｒ９，Ｒ１０の接続点がダイオードＤ２を介してコンパレータ１０５の非反転入力端子に接続されている。抵抗Ｒ８には、抵抗Ｒ６とコンデンサＣ４の直列回路が並列に接続されている。そして、抵抗Ｒ８，Ｒ９及びコンデンサＣ４の接続点が、フィラメントＦ２における接続部（７）とは反対側の極（３）と接続されている。また、フィラメントＦ３における接続部（７）とは反対側の極（４）は、抵抗Ｒ７（第５の抵抗）を介して抵抗Ｒ９，Ｒ１０の接続点と接続されている。そして、検出用電圧源１１５、抵抗Ｒ６，Ｒ７，Ｒ８，Ｒ９，Ｒ１０，コンデンサＣ８、及びコンパレータ１０５によって、フィラメント不良検出回路１０８が構成されている。フィラメント不良検出回路１０８は、放電灯ＦＬ１，ＦＬ２の点灯後に発生した極（３）、極（４）、及び接続部（７）のいずれかの断線や接触不良等の不良状態を検出し、不良検出時には放電灯ＦＬ１，ＦＬ２を消灯させるための回路である。
【００６７】
また、フィラメントＦ１の極（１）は、抵抗Ｒ１２（第１の抵抗）を介してフィラメントＦ２の極（３）に接続し、フィラメントＦ３の極（４）は、抵抗Ｒ１３，及び逆接続のツェナーダイオードＺＤ１を介してグラウンドに接続され、ツェナーダイオードＺＤ１と並列にダイオードＤ４と抵抗Ｒ１４との直列回路が接続され、抵抗Ｒ１４と並列にコンデンサＣ１０（第１のコンデンサ）が接続され、ダイオードＤ４とコンデンサＣ１０との接続点がコンパレータ１０４の非反転入力端子に接続されている。さらに、発振時電圧供給源１１８の出力Ｅ２は、ダイオードＤ５を介して、ダイオードＤ４、コンデンサＣ１０、コンパレータ１０４の接続点に接続されている。そして、抵抗Ｒ１１，Ｒ１２，Ｒ１３，Ｒ１４，ダイオードＤ４，ツェナーダイオードＺＤ１、コンデンサＣ１０、及びコンパレータ１０４によって、無負荷検出回路１０９が構成されている。無負荷検出回路１０９は、電源投入時に、極（１）（２）（３）（４）の接続不良や、フィラメントＦ１，Ｆ２，Ｆ３の断線等の不良状態を検出し、不良検出時には放電灯ＦＬ１，ＦＬ２を点灯させないための回路である。
【００６８】
また、直流電源ラインＬは、抵抗Ｒ１５，Ｒ１６，Ｒ１７を介してグラウンドに接続され、抵抗Ｒ１５，Ｒ１６の接続点が、放電灯ＦＬ２においてフィラメントＦ３と対をなすフィラメントＦ４の極（５）と接続されている。そして、抵抗Ｒ１７と並列にコンデンサＣ１１が接続され、抵抗Ｒ１７とコンデンサＣ１１の接続点がトランジスタＱ３のベースに接続され、トランジスタＱ３のエミッタがグラウンドに接続され、トランジスタＱ３のコレクタが抵抗Ｒ１８を介して抵抗Ｒ１３とダイオードＤ４のアノードとの接続点に接続されている。そして、抵抗Ｒ１５，Ｒ１６，Ｒ１７，Ｒ１８、Ｃ１１、及びトランジスタＱ３によって、無負荷検出回路１１３が構成されている。無負荷検出回路１１３は、電源投入時に、極（５）、フィラメントＦ４における極（５）とは反対側の極（６）の接続不良や、フィラメントＦ４の断線等の不良状態を検出し、不良検出時には放電灯ＦＬ１，ＦＬ２を点灯させないための回路である。
【００６９】
そして、インバータ制御回路１０６は、コンパレータ１０４の出力ＶNLがローレベルになると、トランジスタＱ１，Ｑ２のオン・オフ動作を停止させ（待機モード）、放電灯ＦＬ１，ＦＬ２の再装着、交換等によって、極（１）（２）（３）（４）（５）（６）の接続不良や、フィラメントＦ１，Ｆ２，Ｆ３，Ｆ４の断線が解消されると、コンパレータ１０４の出力ＶNLがハイレベルとなるので、トランジスタＱ１，Ｑ２のオン・オフ動作を開始して、放電灯ＦＬ１，ＦＬ２を点灯させる。
【００７０】
一方、コンパレータ１０５の出力ＶELがハイレベルのとき、インバータ制御回路１０６は、トランジスタＱ１，Ｑ２のオン・オフ動作を所定期間停止させた後、再び開始させる。このコンパレータ１０５の出力ＶELによる発振停止が所定回数連続して発生した場合には、以後の発振を停止させる（ラッチモード）。そして、電源の再投入、放電灯ＦＬ１，ＦＬ２の再装着等の所定のリセット動作が行われるまで発振停止状態を継続させ、リセット動作が行われると、トランジスタＱ１，Ｑ２のオン・オフ動作を開始して、放電灯ＦＬ１，ＦＬ２を点灯させる。
【００７１】
上記のようにインバータ制御回路１０６が発振停止制御を行うことで、異常負荷の接続時、フィラメントの断線時、極の接続不良発生時に、トランジスタＱ１，Ｑ２の発振停止を継続させるので、放電灯点灯装置５の構成部品のストレスや、負荷の異常発熱を回避することが可能となり、さらには放電灯ＦＬ１，ＦＬ２の交換や再装着、所定のリセット動作で発振動作を再開することができる。
【００７２】
次にトランスＴ１は、二次巻線１１０，１１１，１１２を備えている。そして、二次巻線１１０の一方端ａは、コンデンサＣ３を介して極（１）と接続され、他方端ｂは、極（２）と接続されている。二次巻線１１１の一方端ｃは、コンデンサＣ４を介して極（３）と接続され、他方端ｄは、極（４）と接続されている。二次巻線１１２の一方端ｅは、コンデンサＣ５を介して極（６）と接続され、他方端ｆは、極（５）と接続されている。
【００７３】
そして、例えばコネクタ４ａ（図２参照）を介して放電灯点灯装置５と放電灯ＦＬ１を接続することで極（１）、極（２）が構成され、例えばコネクタ４ｂを介して放電灯点灯装置５と放電灯ＦＬ１を接続すること極（３）が構成され、例えばコネクタ４ｃを介して放電灯点灯装置５と放電灯ＦＬ２を接続することで極（４）が構成され、例えばコネクタ４ｄを介して放電灯点灯装置５と放電灯ＦＬ２を接続することで極（５）、極（６）が構成され、接続部（７）は、コネクタ４ｂ及びコネクタ４ｃ間を接続することによって構成される。そして、コネクタ４ａ，４ｂ，４ｃ，４ｄを用いることで、ユーザが放電灯点灯装置から放電灯ＦＬ１，ＦＬ２を容易に脱着させることができる。
【００７４】
次に、このように構成された放電灯点灯装置５の点灯動作を説明する。図３、図４は、放電灯点灯装置５の動作を説明するための図である。まず、放電灯ＦＬ１，ＦＬ２におけるフィラメントの状態や、極（１）〜極（６）、接続部（７）等の接続が正常である場合の動作を説明する。まず、ユーザによって電源投入されると、電源コネクタ１０１によって商用電源Ｖａｃが受け付けられ、電源部１０２によって直流電源ラインＬを介して直流電圧Ｖｄｃが、放電灯点灯装置５の各部に供給される。
【００７５】
インバータ制御回路１０６は、直流電圧Ｖｄｃが供給されると、トランスＴ１のインダクタンスとコンデンサＣ２の容量により決まる無負荷共振周波数ｆｏよりも高い周波数ｆｐｈで、トランジスタＱ１，Ｑ２を交互にオン、オフさせることにより、インバータの発振動作を開始させる。これにより、放電灯ＦＬ１，ＦＬ２の直列回路には、点灯開始しない程度の低電圧の共振電圧が印加される。この際、トランスＴ１の二次巻線１１０，１１１，１１２から、それぞれコンデンサＣ３、Ｃ４、Ｃ５を介してフィラメントＦ１，Ｆ２，Ｆ３，Ｆ４を加熱するための先行予熱電流が流れる（先行予熱モード）。
【００７６】
そして、インバータ制御回路１０６により、予め設定された予熱時間が経過後、放電灯ＦＬ１，ＦＬ２を点灯させるべくインバータの動作周波数が周波数ｆｐｈから周波数ｆｓｔに変化し、放電灯ＦＬ１，ＦＬ２の直列回路に印加される共振電圧が上昇し、放電灯ＦＬ１，ＦＬ２が点灯する（始動モード）。
【００７７】
その後、インバータ制御回路１０６によるインバータのオン・オフ周波数は、さらに低周波数の周波数ｆｔに変化して通常点灯状態に移行し、放電灯ＦＬ１，ＦＬ２が安定して発光させられる（通常点灯モード）。以上のシーケンス動作によって、放電灯ＦＬ１，ＦＬ２は点灯する。
【００７８】
ところで、放電灯ＦＬ１，ＦＬ２のフィラメントが断線していたり、極（１）〜極（６）、接続部（７）等の接続が、外れていたり、接続不良である場合、仮に、そのまま放電灯ＦＬ１，ＦＬ２を点灯させようとすると、図４に示す無負共振特性に近づこうとするため、放電灯ＦＬ１，ＦＬ２への印加電圧が上昇し、放電灯点灯装置５内の各回路部における電圧ストレスが増大したり、不良部分にアークが発生したりするという不都合があった。
【００７９】
そこで、図２に示す放電灯点灯装置５は、フィラメント不良検出回路１０８、無負荷検出回路１０９、無負荷検出回路１１３、ＤＣ検出回路１１４、ＤＣ検出回路１１６を備えることにより、放電灯ＦＬ１，ＦＬ２のフィラメントの断線や、極（１）〜極（６）、接続部（７）等の接続不良を検出し、不良時には放電灯ＦＬ１，ＦＬ２を点灯させないようにすることで、電圧ストレスを低減するようにしている。
【００８０】
次に、フィラメント不良検出回路１０８、無負荷検出回路１０９、無負荷検出回路１１３、ＤＣ検出回路１１４、ＤＣ検出回路１１６の動作について説明する。まず、放電灯ＦＬ１，ＦＬ２におけるフィラメントの状態や、極（１）〜極（６）、接続部（７）等の接続が正常である場合の動作を説明する。
【００８１】
まず、ユーザによって電源投入されると、電源コネクタ１０１によって商用電源Ｖａｃが受け付けられ、電源部１０２によって直流電源ラインＬを介して直流電圧Ｖｄｃが、放電灯点灯装置５の各部に供給される。
【００８２】
インバータ制御回路１０６は、直流電圧Ｖｄｃが供給されると、無負荷検出回路１１３において、直流電圧Ｖｄｃからの直流バイアス電圧がＲ１５、Ｒ１６を介して、抵抗Ｒ１７、コンデンサＣ１１、トランジスタＱ３のベースへ印加される。また同時にＲ１５、極（５）、フィラメントＦ４、極（６）の経路でフィラメントＦ４へバイアス電圧が印加される。しかしながら、フィラメント抵抗値は概ね数Ω〜数十Ωであり、抵抗Ｒ１５，Ｒ１６，Ｒ１７は共振負荷回路に影響が無いような比較的大きな抵抗値（約数十ｋΩ〜数ＭΩ）で構成されている。従って極（５），（６）間に発生する電圧が非常に小さいため、並列的に接続された抵抗Ｒ１６や抵抗Ｒ１７に印加される電圧は極めて低く、トランジスタＱ３のベースへの電流供給はほとんど無い。よって、トランジスタＱ３はオフしている。
【００８３】
また、無負荷検出回路１０９において、直流電圧Ｖｄｃからの直流バイアス電圧が、抵抗Ｒ１１、フィラメントＦ１、抵抗Ｒ１２、フィラメントＦ２、フィラメントＦ３、抵抗Ｒ１３、ダイオードＤ４を介してコンデンサＣ１０と抵抗Ｒ１４の並列回路に印加され、コンデンサＣ１０の充電電圧Ｖｃ１０が上昇する。従って、コンパレータ１０４に入力されるコンデンサＣ１０の充電電圧Ｖｃ１０は、基準電圧ＶrefN（第１の基準電圧）を超えるので、コンパレータ１０４の出力信号ＶNLがハイレベルでインバータ制御回路１０６へ出力される。そうすると、インバータ制御回路１０６によって、トランジスタＱ１，Ｑ２のオン・オフ動作が開始され、放電灯ＦＬ１，ＦＬ２への電力供給が開始されて、放電灯ＦＬ１，ＦＬ２が点灯する。
【００８４】
そして、放電灯ＦＬ１，ＦＬ２への電力供給が開始されると、放電灯ＦＬ１，ＦＬ２の両端に発生した高周波電圧は、極（４）から抵抗Ｒ１３を介してツェナーダイオードＺＤ１に供給され、ツェナーダイオードＺＤ１において、高周波電圧が半波整流され、ツェナーダイオードＺＤ１によってピーク部をクランプした電圧波形が発生する。この電圧波形が、ダイオードＤ４とコンデンサＣ１０と抵抗Ｒ１４によりフィルタリングされ、トランジスタＱ１，Ｑ２のオン・オフ動作が開始されてからも充電電圧Ｖｃ１０の電圧が基準電圧ＶrefNを超えるレベルに維持される。
【００８５】
また、放電灯ＦＬ１，ＦＬ２への電力供給が開始されると、発振時電圧供給源１１８も直流電圧Ｅ２の出力を開始し、ダイオードＤ５を介してコンデンサＣ１０へ充電電流を供給する。従って、放電灯ＦＬ１，ＦＬ２の点灯中に、異常負荷（例えば、放電灯の片エミレス状態）によるランプ電圧の低下や周囲温度の変化によるランプ電圧の低下（特に、正方向の電圧低下）が発生しても、コンデンサＣ１０には発振時電圧供給源１１８から十分な充電電流が供給されるので、充電電圧Ｖｃ１０の電圧は基準電圧ＶrefNを超えるレベルに維持される。すなわち、放電灯ＦＬ１，ＦＬ２が正常に接続されているにも関わらず充電電圧Ｖｃ１０が低下し、コンパレータ２０２からハイレベルの信号ＶNLが出力されて、トランジスタＱ１，Ｑ２のオン・オフ動作が停止するという、誤動作による期待外動作が発生することはなくなり、上述の背景技術で説明した間欠発振の繰り返しは発生せず、異常負荷接続時においては放電灯点灯装置５内の構成部品のストレス増加に伴う異常発熱、故障、発火の恐れや、ランプやソケット等の異常発熱を回避でき、周囲温度の変化時においては、「正常負荷接続時には正常点灯を継続すること」という商品仕様を満足して、予熱モードの繰り返しによるフィラメント温度の過剰な上昇や、ランプの短寿命化を回避できる。
【００８６】
ＤＣ検出回路１１４においては、直流電圧Ｖｄｃからの直流バイアス電圧が、抵抗Ｒ１１，フィラメントＦ１、トランスＴ１、抵抗Ｒ１を介して抵抗Ｒ２とコンデンサＣ７の並列回路に印加され、抵抗Ｒ２の両端電圧によってコンデンサＣ７が充電され、コンパレータ１０５へダイオードＤ１を介して充電電圧Ｖｃ７として出力される。この充電電圧Ｖｃ７は、放電灯ＦＬ１，ＦＬ２への電力供給開始時の過渡電圧が抵抗分圧されることにより、基準電圧ＶrefE（第２の基準電圧）を超える場合がある。しかし、インバータ制御回路１０６には、電源投入からマスク期間が終了するまでは、コンパレータ１０５の出力信号ＶELがハイレベルになった場合であっても、放電灯ＦＬ１，ＦＬ２への電力供給を停止させないマスク機能を有しており、電源投入時にＤＣ検出回路１１４から出力された充電電圧Ｖｃ８の電圧が基準電圧ＶrefEを越え、コンパレータ１０５から信号ＶELがハイレベルで出力された場合であっても、放電灯ＦＬ１，ＦＬ２への電力供給が停止されることはない。また、この趣旨から、マスク期間は、電力供給開始時の過渡応答時間に応じて決定される。
【００８７】
そして、放電灯ＦＬ１，ＦＬ２へ電力が供給されて、放電灯ＦＬ１，ＦＬ２が点灯すると、放電灯ＦＬ１，ＦＬ２のインピーダンスは低下する。放電灯ＦＬ１，ＦＬ２の定格により点灯時のインピーダンスは様々であるが、一般的には数百Ω〜数ｋΩである。ＤＣ検出回路１１４を構成する抵抗Ｒ１，Ｒ２は共振負荷回路に影響が無いように数十ｋΩ〜数百ｋΩで構成される。従って、放電灯ＦＬ１，ＦＬ２が点灯すると、放電灯ＦＬ１，ＦＬ２に直流電圧が発生しないという条件下においては充電電圧Ｖｃ７がほとんど発生せず、ダイオードＤ１を介してコンパレータ１０５に入力される充電電圧Ｖｃ７は、基準電圧ＶrefEを超えないので、コンパレータ１０５の出力信号ＶELがローレベルでインバータ制御回路０１６へ出力され、放電灯ＦＬ１，ＦＬ２への電力供給は停止されることなく継続される。
【００８８】
ＤＣ検出回路１１６においては、直流電圧Ｖｄｃからの直流バイアス電圧が、抵抗Ｒ３を介して抵抗Ｒ４とコンデンサＣ９の並列回路に印加され、抵抗Ｒ４の両端電圧によってコンデンサＣ９が充電され、コンパレータ１０５へダイオードＤ３を介して充電電圧Ｖｃ９として出力される。この充電電圧Ｖｃ９は、放電灯ＦＬ１，ＦＬ２への電力供給開始時の過渡電圧が抵抗分圧されることにより、基準電圧ＶrefEを超える場合がある。しかし、インバータ制御回路１０６には上記マスク機能が設けられているため、電源投入時にＤＣ検出回路１１６から出力された充電電圧Ｖｃ９の電圧が基準電圧ＶrefEを越え、コンパレータ１０５から信号ＶELがハイレベルで出力された場合であっても、放電灯ＦＬ１，ＦＬ２への電力供給が停止されることはない。
【００８９】
そして、放電灯ＦＬ１，ＦＬ２へ電力が供給され、放電灯ＦＬ１，ＦＬ２が点灯すると、放電灯ＦＬ１，ＦＬ２のインピーダンスは低下するので、放電灯ＦＬ１，ＦＬ２に直流電圧が発生しないという条件下においては充電電圧Ｖｃ９がほとんど発生せず、ダイオードＤ３を介してコンパレータ１０５に入力される充電電圧Ｖｃ９は、基準電圧ＶrefEを超えないので、コンパレータ１０５の出力信号ＶELがローレベルでインバータ制御回路０１６へ出力され、放電灯ＦＬ１，ＦＬ２への電力供給は停止されることなく継続される。
【００９０】
フィラメント不良検出回路１０８においては、検出用電圧源１１５が出力する直流電圧Ｅ１が、抵抗Ｒ６，Ｒ７と抵抗Ｒ８，Ｒ９との並列回路と、抵抗Ｒ１０とによって分圧され、抵抗Ｒ１０の両端電圧によって、コンデンサＣ８が充電される。検出用電圧源１１５は、トランジスタＱ１，Ｑ２によるインバータの発振動作の開始前は出力電圧Ｅ１を出力せず、トランジスタＱ１，Ｑ２のオン・オフ動作が開始されてから直流電圧Ｅ１を出力するので、トランジスタＱ１，Ｑ２のオン・オフ動作の開始前にコンデンサＣ８が充電されることはない。また、電源投入後の上記マスク期間内においては、フィラメント不良検出回路１０８から出力されたコンデンサＣ８の充電電圧Ｖｃ８の電圧が基準電圧ＶrefEを越え、コンパレータ１０５から信号ＶELがハイレベルで出力された場合であっても、インバータ制御回路１０６によって放電灯ＦＬ１，ＦＬ２への電力供給が停止されることはない。
【００９１】
そして、放電灯ＦＬ１，ＦＬ２へ電力が供給され、放電灯ＦＬ１，ＦＬ２が点灯すると、放電灯ＦＬ１，ＦＬ２のインピーダンスは低下する。また、抵抗Ｒ６〜Ｒ１０は共振負荷回路に影響が無いような比較的大きな抵抗値（約数十ｋΩ〜数ＭΩ）で構成されている。従って、放電灯ＦＬ１，ＦＬ２が点灯すると、充電電圧Ｖｃ８がほとんど発生せず、ダイオードＤ２を介してコンパレータ１０５に入力される充電電圧Ｖｃ９は、基準電圧ＶrefEを超えないので、コンパレータ１０５の出力信号ＶELがローレベルでインバータ制御回路０１６へ出力され、放電灯ＦＬ１，ＦＬ２への電力供給は停止されることなく継続される。
【００９２】
なお、コンパレータ１０５の非反転入力端子には、ダイオードＤ１，Ｄ２，Ｄ３によって、コンデンサＣ７の充電電圧Ｖｃ７、コンデンサＣ８の充電電圧Ｖｃ８、コンデンサＣ９の充電電圧Ｖｃ９のうち、最も高い電圧値の充電電圧Ｖｃｎが入力される。
【００９３】
次に、電源投入時にフィラメントの断線、または極の接続不良が発生した場合の動作を説明する。
【００９４】
［電源投入時の不良−１］
まず、電源投入時にフィラメントＦ１の断線、または極（１）や極（２）の接続不良が発生した場合の動作を説明する。
【００９５】
この場合、無負荷検出回路１０９においては、電源部１０２から直流電圧ＶｄｃをコンデンサＣ１０へ供給する直流バイアス経路が遮断されるため、コンデンサＣ１０は充電されず、従って充電電圧Ｖｃ１０はＶrefN以下となる。そうすると、コンパレータ１０４から信号ＶNLがローレベルで出力され、インバータ制御回路１０６によるトランジスタＱ１，Ｑ２のオン・オフ動作が開始されず、放電灯ＦＬ１，ＦＬ２は点灯しない。
【００９６】
［電源投入時の不良−２］
次に、電源投入時にフィラメントＦ４の断線、または極（５）や極（６）の接続不良が発生した場合の動作を説明する。
【００９７】
この場合、無負荷検出回路１１３において、抵抗Ｒ１６，Ｒ１７と並列に接続された極（５）、フィラメントＦ４、及び極（６）における抵抗値が増大するため、電源部１０２から出力された直流電圧Ｖｄｃによって、抵抗Ｒ１５，Ｒ１６を介してトランジスタＱ３へベース電流が十分に供給され、トランジスタＱ３がオンする。そうすると、抵抗Ｒ１８は、トランジスタＱ３及び抵抗Ｒ１８の直列回路と並列に接続されている抵抗Ｒ１４の分圧比を著しく低下させる抵抗値に設定されているため、コンデンサＣ１０の充電電圧Ｖｃ１０が基準電圧ＶrefN以下となる。そうすると、コンパレータ１０４から信号ＶNLがローレベルで出力され、インバータ制御回路１０６によるトランジスタＱ１，Ｑ２のオン・オフ動作が開始されず、放電灯ＦＬ１，ＦＬ２は点灯しない。
【００９８】
［電源投入時の不良−３］
次に、電源投入時にフィラメントＦ２，Ｆ３の断線、または極（３）、極（４）、及び接続部（７）の接続不良が発生した場合の動作を説明する。
【００９９】
この場合、無負荷検出回路１０９において、電源部１０２から直流電圧ＶｄｃをコンデンサＣ１０へ供給する直流バイアス経路が遮断されるため、コンデンサＣ１０は充電されず、従って充電電圧Ｖｃ１０はＶrefN以下となる。そうすると、コンパレータ１０４から信号ＶNLがローレベルで出力され、インバータ制御回路１０６によるトランジスタＱ１，Ｑ２のオン・オフ動作が開始されず、放電灯ＦＬ１，ＦＬ２は点灯しない。
【０１００】
ここで、発振時電圧供給源１１８は、トランジスタＱ１，Ｑ２のオン・オフ動作の開始前に出力電圧Ｅ２を出力しないので、電源投入時にダイオードＤ４を介してコンデンサＣ１０が充電されることがなく、発振時電圧供給源１１８によって上記無負荷検出回路１０９による検出動作が妨げられることはない。
【０１０１】
また、フィラメント不良検出回路１０８の検出用電圧源１１５は、トランジスタＱ１，Ｑ２のオン・オフ動作の開始前に出力電圧Ｅ１を出力しないので、電源投入時に検出用電圧源１１５から上記抵抗Ｒ８、Ｒ９、Ｒ７、Ｒ１３、ダイオードＤ４を経由する経路や、抵抗Ｒ６から二次巻線１１１、抵抗Ｒ１３、ダイオードＤ４を経由する経路からコンデンサＣ１０が充電されることがなく、検出用電圧源１１５によって上記無負荷検出回路１０９による検出動作が妨げられることはない。
【０１０２】
以上のように、電源投入時において、直列に接続されているフィラメントＦ２，Ｆ３、極（３）、極（４）、及び接続部（７）の不良を含め、放電灯ＦＬ１，ＦＬ２における接続箇所の不良やフィラメント断線を検知し、放電灯ＦＬ１，ＦＬ２の点灯を開始させないようにすることができる。
【０１０３】
また、電源投入してから上記マスク期間経過後の通常点灯時において、フィラメントの断線、または極の接続不良が発生した場合の動作を説明する。
【０１０４】
［通常点灯時の不良−１］
まず、上記マスク期間経過後の通常点灯時において、極（１）が接続不良となった場合の動作を説明する。
【０１０５】
この場合、共振負荷回路を流れるランプ電流は、トランスＴ１からコンデンサＣ３、二次巻線１１０、極（２）、フィラメントＦ１、放電灯ＦＬ１、フィラメントＦ２、接続部（７）、フィラメントＦ３、放電灯ＦＬ２、フィラメントＦ４、及び極（６）を経由してグラウンドに至る経路で流れる。そして、無負荷検出回路１０９におけるＲ１２と、コンデンサＣ２との接続部分には高周波電圧が継続して発生しているため、コンデンサＣ１０の充電電圧Ｖｃ１０は通常点灯時の電位を保持する。従って、充電電圧Ｖｃ１０が基準電圧ＶrefNを超え、コンパレータ１０４の出力信号ＶNLはハイレベルとなるので、極（１）の接続不良は、無負荷検出回路１０９によっては検出されない。
【０１０６】
一方、ＤＣ検出回路１１４においては、この場合、コンデンサＣ３と放電灯ＦＬ１，ＦＬ２との直列回路構成部分に対して並列に、ＤＣ検出回路１１４と無負荷検出回路１０９とが構成される形（Ｒ１１は除く）となる。この合成インピーダンスをＺ１とすると、コンデンサＣ１とコンデンサＣ３にはコンデンサＣ１の直流成分電圧を抵抗Ｒ５とインピーダンスＺ１で分圧した電圧がそれぞれに分担される。この結果、コンデンサＣ３と放電灯ＦＬ１，ＦＬ２の直列構成部分には直流電圧成分が発生するため、ＤＣ検出回路１１４にも直流電圧成分が発生する。従って、コンデンサＣ７の充電電圧Ｖｃ７は、基準電圧ＶrefEを超え、コンパレータ１０５及びインバータ制御回路１０６によって、トランジスタＱ１，Ｑ２のオン・オフ動作が停止され、放電灯ＦＬ１，ＦＬ２への電力供給がなくなり、放電灯ＦＬ１，ＦＬ２が消灯する。
【０１０７】
そして、上記のようにトランジスタＱ１，Ｑ２のオン・オフ動作が停止した後、一定期間が経過するとトランジスタＱ１，Ｑ２のオン・オフ動作を再び開始するが、上述の［電源投入時の不良−１］が発生した場合の動作と同様に、電源部１０２から直流電圧ＶｄｃをコンデンサＣ１０へ供給する直流バイアス経路が遮断されるため、コンデンサＣ１０は充電されず、従って充電電圧Ｖｃ１０はＶrefN以下となる。そうすると、コンパレータ１０４から信号ＶNLがローレベルで出力され、インバータ制御回路１０６によるトランジスタＱ１，Ｑ２のオン・オフ動作が開始されず、放電灯ＦＬ１，ＦＬ２消灯状態を維持する。
【０１０８】
［通常点灯時の不良−２］
次に、上記マスク期間経過後の通常点灯時に極（２）が接続不良となった場合の動作を説明する。
【０１０９】
極（２）が接続不良となった場合の共振負荷回路を流れるランプ電流経路は、正常時におけるランプ電流経路（トランスＴ１、極（１）、放電灯ＦＬ１、ＦＬ２）と変わらないものの、正常時においてＤＣ検出回路１１６における抵抗Ｒ３，Ｒ４と並列に接続されていた放電灯ＦＬ１、ＦＬ２が極（２）によって分離され、また、抵抗Ｒ１１，Ｒ３の接続点から二次巻線１１０を介して放電灯ＦＬ１、ＦＬ２に至る電流経路はコンデンサＣ３により直流的に分離されているため、抵抗Ｒ１１，Ｒ３，Ｒ４の分圧比が放電灯ＦＬ１、ＦＬ２のインピーダンスに影響されなくなる。従って、抵抗Ｒ１１，Ｒ３，Ｒ４の分圧比で決まる電圧によってコンデンサＣ９が充電され、コンデンサＣ９の充電電圧Ｖｃ９は、基準電圧ＶrefEを超えるため、コンパレータ１０５及びインバータ制御回路１０６によって、トランジスタＱ１，Ｑ２のオン・オフ動作が停止され、放電灯ＦＬ１，ＦＬ２への電力供給がなくなり、放電灯ＦＬ１，ＦＬ２が消灯する。
【０１１０】
この場合もトランジスタＱ１，Ｑ２のオン・オフ動作が停止した後、一定期間が経過するとトランジスタＱ１，Ｑ２のオン・オフ動作を再び開始するが、上述の［電源投入時の不良−１］が発生した場合の動作と同様に、電源部１０２から直流電圧ＶｄｃをコンデンサＣ１０へ供給する直流バイアス経路が遮断されるため、コンデンサＣ１０は充電されず、インバータ制御回路１０６によるトランジスタＱ１，Ｑ２のオン・オフ動作が開始されず、放電灯ＦＬ１，ＦＬ２消灯状態を維持する。
【０１１１】
［通常点灯時の不良−３］
次に、上記マスク期間経過後の通常点灯時にフィラメントＦ１が断線した場合は、上述した［通常点灯時の不良−１］［通常点灯時の不良−２］の場合と同様の検出機能が働き、インバータ制御回路１０６によって、トランジスタＱ１，Ｑ２のオン・オフ動作が停止され、放電灯ＦＬ１，ＦＬ２への電力供給がなくなり、放電灯ＦＬ１，ＦＬ２が消灯する。
【０１１２】
この場合もトランジスタＱ１，Ｑ２のオン・オフ動作が停止した後、一定期間が経過するとトランジスタＱ１，Ｑ２のオン・オフ動作を再び開始するが、上述の［電源投入時の不良−１］が発生した場合の動作と同様に、電源部１０２から直流電圧ＶｄｃをコンデンサＣ１０へ供給する直流バイアス経路が遮断されるため、コンデンサＣ１０は充電されず、インバータ制御回路１０６によるトランジスタＱ１，Ｑ２のオン・オフ動作が開始されず、放電灯ＦＬ１，ＦＬ２消灯状態を維持する。
【０１１３】
［通常点灯時の不良−４］
次に、上記マスク期間経過後の通常点灯時にフィラメントＦ４の断線、または極（５）や極（６）の接続不良が発生した場合は、上述の［電源投入時の不良−２］が発生した場合と同様に、無負荷検出回路１１３によって上記断線や接続不良が検知され、トランジスタＱ１，Ｑ２のオン・オフ動作が停止され、放電灯ＦＬ１，ＦＬ２が消灯する。
【０１１４】
［通常点灯時の不良−５］
次に、上記マスク期間経過後の通常点灯時に極（３）や極（７）の接続不良が発生した場合の動作を説明する。
【０１１５】
極（３）が接続不良の場合は、放電灯ＦＬ１，ＦＬ２を流れるランプ電流の経路は変化せず接続部（７）を流れる。そうすると、フィラメント不良検出回路１０８において、検出用電圧源１１５から抵抗Ｒ６、二次巻線１１１、抵抗Ｒ７を経由して、抵抗Ｒ１０とコンデンサＣ８との並列回路に至る電流経路では、抵抗Ｒ７，Ｒ１０の直列構成に対して放電灯ＦＬ２が並列に存在するためコンデンサＣ８の充電電圧Ｖｃ８はほとんど発生しない。一方、検出用電圧源１１５から抵抗Ｒ８，Ｒ９を経由して、抵抗Ｒ１０とコンデンサＣ８との並列回路に至る電流経路では、抵抗Ｒ９，Ｒ１０の直列構成に対して放電灯が並列接続されない（コンデンサＣ４により、抵抗Ｒ９，Ｒ１０の直列回路が放電灯と分離されている）。従って、コンデンサＣ８は、直流電圧Ｅ１を抵抗Ｒ８，Ｒ９，Ｒ１０で分圧した直流電圧で充電され、コンデンサＣ８の充電電圧Ｖｃ８は、基準電圧ＶrefEを超えるため、コンパレータ１０５及びインバータ制御回路１０６によって、トランジスタＱ１，Ｑ２のオン・オフ動作が停止され、放電灯ＦＬ１，ＦＬ２への電力供給がなくなり、放電灯ＦＬ１，ＦＬ２が消灯する。
【０１１６】
この場合もトランジスタＱ１，Ｑ２のオン・オフ動作が停止した後、一定期間が経過するとトランジスタＱ１，Ｑ２のオン・オフ動作を再び開始するが、上述の［電源投入時の不良−１］が発生した場合の動作と同様に、電源部１０２から直流電圧ＶｄｃをコンデンサＣ１０へ供給する直流バイアス経路が遮断されるため、コンデンサＣ１０は充電されず、インバータ制御回路１０６によるトランジスタＱ１，Ｑ２のオン・オフ動作が開始されず、放電灯ＦＬ１，ＦＬ２消灯状態を維持する。
【０１１７】
［通常点灯時の不良−６］
次に、上記マスク期間経過後の通常点灯時に極（７）の接続不良が発生した場合は、放電灯ＦＬ１から極（７）を経由して放電灯ＦＬ２に至るランプ電流の経路が断たれるため、ランプ電流の経路は変化し、放電灯ＦＬ１、極（３）、コンデンサＣ４、二次巻線１１１、及び極（４）を経由して放電灯ＦＬ２に至る電流経路となる。この場合、フィラメント不良検出回路１０８における抵抗Ｒ９，Ｒ１０の直列構成部分には放電灯が並列接続されず、低インピーダンス要素の接続がないため、コンデンサＣ８は、直流電圧Ｅ１を抵抗Ｒ８，Ｒ９，Ｒ１０で分圧した直流電圧で充電され、コンデンサＣ８の充電電圧Ｖｃ８は、基準電圧ＶrefEを超えるため、コンパレータ１０５及びインバータ制御回路１０６によって、トランジスタＱ１，Ｑ２のオン・オフ動作が停止され、放電灯ＦＬ１，ＦＬ２への電力供給がなくなり、放電灯ＦＬ１，ＦＬ２が消灯する。
【０１１８】
この場合もトランジスタＱ１，Ｑ２のオン・オフ動作が停止した後、一定期間が経過するとトランジスタＱ１，Ｑ２のオン・オフ動作を再び開始するが、上述の［電源投入時の不良−１］が発生した場合の動作と同様に、電源部１０２から直流電圧ＶｄｃをコンデンサＣ１０へ供給する直流バイアス経路が遮断されるため、コンデンサＣ１０は充電されず、インバータ制御回路１０６によるトランジスタＱ１，Ｑ２のオン・オフ動作が開始されず、放電灯ＦＬ１，ＦＬ２消灯状態を維持する。
【０１１９】
［通常点灯時の不良−７］
次に、上記マスク期間経過後の通常点灯時に極（４）の接続不良が発生した場合の動作を説明する。極（４）が接続不良の場合は放電灯ＦＬ１，ＦＬ２におけるランプ電流の経路は変化せず接続部（７）を流れる。この場合、フィラメント不良検出回路１０８において、抵抗Ｒ９，Ｒ１０の直列構成に対して放電灯ＦＬ２が並列に存在するため、コンデンサＣ８の充電電圧Ｖｃ８はほとんど発生しない。一方、抵抗Ｒ７，Ｒ１０の直列構成に対しては放電灯が並列接続されず、低インピーダンス要素の接続が無い（コンデンサＣ４により、抵抗Ｒ７，Ｒ１０の直列回路が放電灯と分離されている）ため、コンデンサＣ８は、直流電圧Ｅを抵抗Ｒ６，Ｒ７，Ｒ１０で分圧した直流電圧で充電され、コンデンサＣ８の充電電圧Ｖｃ８は、基準電圧ＶrefEを超えるため、コンパレータ１０５及びインバータ制御回路１０６によって、トランジスタＱ１，Ｑ２のオン・オフ動作が停止され、放電灯ＦＬ１，ＦＬ２への電力供給がなくなり、放電灯ＦＬ１，ＦＬ２が消灯する。
【０１２０】
この場合もトランジスタＱ１，Ｑ２のオン・オフ動作が停止した後、一定期間が経過するとトランジスタＱ１，Ｑ２のオン・オフ動作を再び開始するが、上述の［電源投入時の不良−１］が発生した場合の動作と同様に、電源部１０２から直流電圧ＶｄｃをコンデンサＣ１０へ供給する直流バイアス経路が遮断されるため、コンデンサＣ１０は充電されず、インバータ制御回路１０６によるトランジスタＱ１，Ｑ２のオン・オフ動作が開始されず、放電灯ＦＬ１，ＦＬ２消灯状態を維持する。
【０１２１】
［通常点灯時の不良−８］
次に、上記マスク期間経過後の通常点灯時にフィラメントＦ２やフィラメントＦ３が断線した場合は、上記［通常点灯時の不良−５］または［通常点灯時の不良−６］と同様に、フィラメント不良検出回路１０８が動作し、トランジスタＱ１，Ｑ２のオン・オフ動作が停止され、放電灯ＦＬ１，ＦＬ２への電力供給がなくなり、放電灯ＦＬ１，ＦＬ２が消灯する。
【０１２２】
このように、図１に示す放電灯点灯装置５及びこれを用いた照明器具１は、例えば電源投入時や負荷再装着時において、直列に接続されているフィラメントＦ２，Ｆ３、極（３）、極（４）、及び接続部（７）の不良を含め、放電灯ＦＬ１，ＦＬ２における極（１）〜（６）、接続部（７）の接続箇所の不良やフィラメントＦ１〜Ｆ４の断線を、すべての箇所において検知している。従って、フィラメントや極に不良がある場合、電源投入時には放電灯ＦＬ１，ＦＬ２の点灯を開始させないようにし、放電灯ＦＬ１，ＦＬ２の取り外し、放電灯ＦＬ１，ＦＬ２の再装着の際にもフィラメントや極が正常に接続されない限り、放電灯ＦＬ１，ＦＬ２への電力供給を停止させることができる。さらに、通常点灯時においても、放電灯ＦＬ１，ＦＬ２へ接続される端子、配線等の接続不良や、フィラメント断線等の不良を検出することができるため、アーク発生モードに至ることなくこれらの不良を検出し、放電灯ＦＬ１，ＦＬ２を消灯させることができる。
【０１２３】
これにより、端子等の接続箇所の不良やフィラメント断線不良時に放電灯ＦＬ１，ＦＬ２を点灯させようとした場合でも、放電灯点灯装置５の構成部品（例えば、トランジスタＱ１，Ｑ２等）へ与える電圧ストレスを低減させることができる。また、ユーザが放電灯ＦＬ１，ＦＬ２の取り付け途中で、極（１），（２）が最初に接続され、まだ極（３）、極（４）、及び接続部（７）の接続を完了していない状態においては、放電灯ＦＬ１，ＦＬ２の点灯が開始されないため、ユーザに安心感を与えることができる。
【０１２４】
また、図１２に示す背景技術に係る放電灯点灯装置と比較して、図１に示す本発明に係る放電灯点灯装置５では、ほとんど追加部品を必要としないので、コストの上昇を抑制しつつ図１２に示す放電灯点灯装置の課題を解決することができる。
【０１２５】
また、電源投入時に過渡的に放電灯ＦＬ１，ＦＬ２に印加される電圧が上昇し、フィラメント不良検出回路１０８及びＤＣ検出回路１１４，１１６のうちいずれかの検出回路から出力された充電電圧Ｖｃｎが、基準電圧ＶrefEを超える場合が考えられるが、制御回路部１０３は上記マスク機能を有しているので、このような電源投入時の過渡的な電圧上昇によって、放電灯ＦＬ１，ＦＬ２を点灯不能を防止している。
【０１２６】
なお、放電灯が２灯直列の場合を例に説明したが、３灯以上の放電灯が直列接続されても良い。この場合、放電灯同士が直列接続されている接続部分に、それぞれフィラメント不良検出回路１０８及び無負荷検出回路１０９と同様の回路を備えればよい。
【０１２７】
（第２実施形態）
次に、本発明の第２の実施の形態による放電灯点灯装置について説明する。図５は、本発明の第２の実施の形態による放電灯点灯装置の構成の一例を示す回路図である。
【０１２８】
図５に示す放電灯点灯装置５ａと図１に示す放電灯点灯装置５とでは、下記の点で異なる。まず、図５に示す放電灯点灯装置５ａでは、放電灯点灯装置５における抵抗Ｒ５の代わりに抵抗Ｒ５とダイオードＤ６との直列回路が、コンデンサＣ１と並列接続されている。また、トランジスタＱ２のドレイン、抵抗Ｒ５、及びコンデンサＣ１の接続点が、フィラメント不良検出回路１０８における抵抗Ｒ６，Ｒ８の接続点に接続され、さらに抵抗Ｒ１９、ダイオードＤ５を介して、無負荷検出回路１０９におけるダイオードＤ４、コンデンサＣ１０、コンパレータ１０４の接続点に接続されている。すなわち、トランジスタＱ１，Ｑ２を交互にオン、オフさせることによりトランジスタＱ１，Ｑ２の接続点に生じる高周波の矩形波電圧を、検出用電圧源１１５ａが出力する直流電圧Ｅ１、及び発振時電圧供給源１１８ａが出力する直流電圧Ｅ２として用いている。
【０１２９】
その他の構成は図１に示す放電灯点灯装置５と同様であるのでその説明を省略し、以下本実施の形態の動作について説明する。
【０１３０】
まず、放電灯点灯装置５ａにおける放電灯ＦＬ１，ＦＬ２を点灯させる動作や、接続不良等の不良を検出して放電灯を点灯させない、あるいは消灯させる動作は、図１に示す放電灯点灯装置５と同様であるので、その説明を省略する。
【０１３１】
次に、上記高周波の矩形波電圧を用いた検出用電圧源１１５ａ及び発振時電圧供給源１１８ａについて説明する。まず、インバータ制御回路１０６によって、トランジスタＱ１，Ｑ２のオン・オフ動作が開始される前の状態では、トランジスタＱ１，Ｑ２は、いずれもオフであり、等価的にはいずれも微小な容量成分を保持し、トランジスタＱ２側の両端電圧はほとんど０Ｖとなっている。そして、直流電圧ＶｄｃのほとんどはトランジスタＱ１に印加される。従って、トランジスタＱ１，Ｑ２のオン・オフ動作が開始される前、すなわち放電灯ＦＬ１，ＦＬ２を発光させるための電力供給が開始される前の状態では、検出用電圧源１１５ａ及び発振時電圧供給源１１８ａの出力する直流電圧Ｅ１，Ｅ２は、ほぼ０Ｖとなる。
【０１３２】
図６は、トランジスタＱ１，Ｑ２のオン・オフ動作が開始される前における放電灯点灯装置５ａの直流等価回路を示す図である。図６において、各検出回路毎の合成インピーダンスを、ブロックで示している。トランスＴ１は理想的には直流抵抗は０Ω、コンデンサＣ２は理想的には直流抵抗は無限大のため省略している。また各放電灯ＦＬ１，ＦＬ２への配線は正常に接続されていることを前提としている。この場合トランジスタＱ２には、並列的にＤＣ検出回路１１４のインピーダンスが接続され、さらに抵抗Ｒ５とダイオードＤ６を介してフィラメント不良検出回路１０８、無負荷検出回路１０９、無負荷検出回路１１３、及びＤＣ検出回路１１６の並列回路が接続されている。
【０１３３】
一方、トランジスタＱ１に対しては、抵抗Ｒ１１がダイオードＤ６により直流的に切り離されており、インピーダンスは接続されていない。従って、トランジスタＱ１とＱ２との容量による分圧比は、トランジスタＱ１側が大きくなる。よって、直流電圧ＶｄｃのほとんどはトランジスタＱ１に印加され、トランジスタＱ２のドレイン端子はほぼ０Ｖとなる。
【０１３４】
また、通常動作時においてコンデンサＣ１には、図５に示す矢印１１７の方向で電圧が印加される。また、抵抗Ｒ５は、数十ｋΩ〜数百ｋΩとされている。このためダイオードＤ６には通常動作中ほとんど電流が流れないうえ、逆バイアスも印加されない、また過渡的な共振電圧も印加されないため、ダイオードＤ６はリカバリー特性の高速なダイオードを必要としない。また、フィラメント不良検出回路１０８は、不良を検出するために大きな電流を必要としないので、ダイオードＤ６の電流容量を低減することができ、従って、安価なダイオードをダイオードＤ６として用いることができる。
【０１３５】
本実施形態の検出用電圧源１１５ａ及び発振時電圧供給源１１８ａは、図１に示す検出用電圧源１１５及び発振時電圧供給源１１８と同様に機能するので、図５に示す放電灯点灯装置５ａおよびこれを用いた照明器具は、図１に示す放電灯点灯装置５と同様の効果を奏することができる。
【０１３６】
（第３実施形態）
次に、本発明の第３の実施の形態による放電灯点灯装置について説明する。図７は、本発明の第３の実施の形態による放電灯点灯装置の構成の一例を示す回路図である。
【０１３７】
図７に示す放電灯点灯装置５ｂと図５に示す放電灯点灯装置５ａとでは、下記の点で異なる。まず、図７に示す放電灯点灯装置５ｂでは、トランジスタＱ２と並列に、直流成分カット用コンデンサＣ６（第３のコンデンサ）、予熱用トランスＴ２（第１のトランス）、及びトランジスタＱ４（第３のスイッチング素子）の直列回路からなる予熱カット回路１１９が接続されている。また、トランスＴ１は、二次巻線１１０，１１１，１１２を備えず、トランスＴ２が二次巻線１１０，１１１，１１２を備え、二次巻線１１１の一方端ｃは、コンデンサＣ４（第４のコンデンサ）を介して極（３）と接続され、他方端ｄは、極（４）と接続されている。そして、インバータ制御回路１０６ａは、トランジスタＱ１，Ｑ２に加えて、トランジスタＱ４のオン・オフを制御する。駆動回路１０７ａは、インバータ制御回路１０６ａからの制御信号に応じて、トランジスタＱ１，Ｑ２，Ｑ４をオン、オフさせる。
【０１３８】
その他の構成は図５に示す放電灯点灯装置５ａと同様であるのでその説明を省略し、以下本実施の形態の動作について説明する。
【０１３９】
まず、放電灯点灯装置５ｂにおける放電灯ＦＬ１，ＦＬ２を点灯させる動作や、接続不良等の不良を検出して放電灯を点灯させない、あるいは消灯させる動作は、図５に示す放電灯点灯装置５ａと同様であるので、その説明を省略する。
【０１４０】
図７に示す放電灯点灯装置５ｂは、フィラメントＦ１，Ｆ２，Ｆ３，Ｆ４の予熱動作が図５の放電灯点灯装置５ａと異なる。まず、インバータ制御回路１０６ａによって、電源投入後から先行予熱の開始までの期間、及び先行予熱モードの期間、トランジスタＱ４をオンさせる。これにより、予熱カット回路１１９のトランスＴ２に電流が流れ、トランスＴ２の二次巻線１１０，１１１，１１２から、それぞれコンデンサＣ３、Ｃ４、Ｃ５を介してフィラメントＦ１、フィラメントＦ２，Ｆ３、フィラメントＦ４を加熱するための先行予熱電流が流れ、フィラメントＦ１，Ｆ２，Ｆ３，Ｆ４が先行予熱される。
【０１４１】
そして、始動モード時、及び通常点灯モードにおいては、インバータ制御回路１０６ａによって、トランジスタＱ４はオフされ、予熱カット回路１１９に電流が流れなくなり、フィラメントＦ１，Ｆ２，Ｆ３，Ｆ４の常時予熱電流がカットされる。これにより、放電灯点灯装置５ｂにおける電力損失を低減できる。
【０１４２】
（第４実施形態）
次に、本発明の第４の実施の形態による放電灯点灯装置について説明する。図８は、本発明の第４の実施の形態による放電灯点灯装置の構成の一例を示す回路図である。
【０１４３】
図８に示す放電灯点灯装置５ｃと図７に示す放電灯点灯装置５ｂとでは、下記の点で異なる。まず、図８に示す放電灯点灯装置５ｃでは、予熱カット回路１１９のコンデンサＣ６とトランスＴ２の接続点が、フィラメント不良検出回路１０８における抵抗Ｒ６，Ｒ８の接続点に接続され、さらに抵抗Ｒ１９、ダイオードＤ５を介して、無負荷検出回路１０９におけるダイオードＤ４、コンデンサＣ１０、コンパレータ１０４の接続点に接続されている。すなわち、コンデンサＣ６とトランスＴ２との接続点に生じた電圧を、検出用電圧源１１５ｂが出力する直流電圧Ｅ１、及び発振時電圧供給源１１８ｂが出力する直流電圧Ｅ２として用いている。また、放電灯点灯装置５ｃは、図７のダイオードＤ６を備えない。
【０１４４】
その他の構成は図７に示す放電灯点灯装置５ｂと同様であるのでその説明を省略し、以下本実施の形態の動作について説明する。
【０１４５】
まず、放電灯点灯装置５ｃにおける放電灯ＦＬ１，ＦＬ２を点灯させる動作や、接続不良等の不良を検出して放電灯を点灯させない、あるいは消灯させる動作、及びフィラメントの予熱動作は、図７に示す放電灯点灯装置５ｂと同様であるので、その説明を省略する。
【０１４６】
次に、上記高周波の矩形波電圧を用いた検出用電圧源１１５ｂ及び発振時電圧供給源１１８ｂについて説明する。まず、電源投入時は、インバータ制御回路１０６ａによってトランジスタＱ４がオンされるので、直流電圧Ｅ１，Ｅ２は、トランジスタＱ４及びトランスＴ２を介してグラウンド電位となり、ほぼ０Ｖとなる。また通常動作時は、インバータ制御回路１０６ａによってトランジスタＱ４がオフされるので、直流電圧Ｅ１，Ｅ２として、ほぼトランジスタＱ２の両端電圧が印加される（直流電圧Ｖｄｃをピークとするパルス状電圧）。従って、検出用電圧源１１５ｂ及び発振時電圧供給源１１８ｂは、インバータ制御回路１０６ａによってトランジスタＱ１，Ｑ２のオン・オフ動作が開始され、放電灯ＦＬ１，ＦＬ２を点灯させるための電力供給が開始された後に直流電圧Ｅ１，Ｅ２の出力を開始する。
【０１４７】
これにより、検出用電圧源１１５ｂ及び発振時電圧供給源１１８ｂは、図７に示す検出用電圧源１１５ａ及び発振時電圧供給源１１８ａと同様に機能するので、図８に示す放電灯点灯装置５ｃおよびこれを用いた照明器具は、図７に示す放電灯点灯装置５ｂと同様の効果を奏することができる。また、図７に示す放電灯点灯装置５ｂのダイオードＤ５を削除することができ、回路を簡素化、低コスト化することができる。なお、検出用電圧源１１５ｂ及び発振時電圧供給源１１８ｂは、トランスＴ２とトランジスタＱ４との接続点に生じた電圧を直流電圧Ｅ１，Ｅ２として供給する構成としても、同様の効果が得られる。
【０１４８】
（第５実施形態）
次に、本発明の第５の実施の形態による放電灯点灯装置について説明する。図９は、本発明の第５の実施の形態による放電灯点灯装置の構成の一例を示す回路図である。
【０１４９】
図９に示す放電灯点灯装置５ｄと図１に示す放電灯点灯装置５とでは、下記の点で異なる。まず、図９に示す放電灯点灯装置５ｄでは、コンデンサＣ１（第５のコンデンサ）に直列接続されたトランスＴ１（第２のトランス）は、二次巻線１１０，１１１，１１２に加えて制御電源供給用の二次巻線１２０ａを備え、二次巻線１１１の一方端ｃは、コンデンサＣ４（第６のコンデンサ）を介して極（３）と接続され、他方端ｄは、極（４）と接続されている。そして、二次巻線１２０ａの一端がグラウンドに接続され、他端が整流用ダイオードＤ５及びダイオードＤ７に接続される。ダイオードＤ７で整流された二次巻線１２０ａの出力は、放電灯点灯装置５ｄの制御電圧Ｖｃｃとして供給される。この二次巻線１２０ａによる制御電源Ｖｃｃは、制御回路部１０３のインバータ制御回路１０６、駆動回路１０７が動作状態となった場合に必要とされる比較的大きな消費電流を供給する機能を有し、インバータ制御回路１０６、駆動回路１０７の待機時に必要とされる比較的小さな消費電流を供給するための図略の待機時制御電源とは別に構成されることで、放電灯点灯装置５ｄの待機時消費電力を抑制しながらも、動作状態時には必要な消費電流を供給することを目的とした構成要素である。
【０１５０】
一方、ダイオードＤ５で整流された二次巻線１２０ａの出力は、抵抗Ｒ１９を介して、無負荷検出回路１０９におけるダイオードＤ４、コンデンサＣ１０、コンパレータ１０４の接続点に接続されている。そして、二次巻線１２０ａ、ダイオードＤ５、抵抗Ｒ１９によって発振時電圧供給源１１８ｃが構成され、二次巻線１２０ａの出力が、ダイオードＤ５、抵抗Ｒ１９を介して直流電圧Ｅ２として用いられている。すなわち、二次巻線１２０ａの出力を分流して、発振時電圧供給源１１８ｃの直流電圧Ｅ２が生成されている。
【０１５１】
その他の構成は図１に示す放電灯点灯装置５と同様であるのでその説明を省略し、以下本実施の形態の動作について説明する。
【０１５２】
まず、放電灯点灯装置５ｄにおける放電灯ＦＬ１，ＦＬ２を点灯させる動作や、接続不良等の不良を検出して放電灯を点灯させない、あるいは消灯させる動作は、図２に示す放電灯点灯装置５と同様であるので、その説明を省略する。
【０１５３】
次に、発振時電圧供給源１１８ｃの動作について説明する。まず、インバータ制御回路１０６によってトランジスタＱ１，Ｑ２のオン・オフ動作が開始され、放電灯ＦＬ１，ＦＬ２を点灯させるための電力供給が開始される前は、トランスＴ１に電流が流れないので二次巻線１２０ａには電圧が発生しない。そして、トランジスタＱ１，Ｑ２のオン・オフ動作の開始後に直流電圧Ｅ２が出力される。これにより、発振時電圧供給源１１８ｃは、図１に示す発振時電圧供給源１１８と同様に機能するので、図９に示す放電灯点灯装置５ｄ及びこれを用いた照明器具は、図１に示す放電灯点灯装置５と同様の効果を奏することができる。
【０１５４】
また、検出用電源１１５についても、発振時電圧供給源１１８ｃと同様に二次巻線１２０ａの出力を用いて直流電圧Ｅ１を出力してもよく、または図５の放電灯点灯装置５ａで用いた検出用電源１１５ａと同様の構成としてもよい（図９内の破線参照）。
【０１５５】
（第６実施形態）
次に、本発明の第６の実施の形態による放電灯点灯装置について説明する。図１０は、本発明の第６の実施の形態による放電灯点灯装置の構成の一例を示す回路図である。
【０１５６】
図１０に示す放電灯点灯装置５ｅと図１に示す放電灯点灯装置５とでは、下記の点で異なる。まず、図１０に示す放電灯点灯装置５ｄでは、トランジスタＱ２と並列に、直流成分カット用コンデンサＣ６（第３のコンデンサ）、予熱用トランスＴ２（第１のトランス）の直列回路からなる予熱回路１１９ａが接続されている。さらに、トランスＴ１は、二次巻線１１０，１１１，１１２を備えず、トランスＴ２が二次巻線１１０，１１１，１１２に加えて制御電源供給用の二次巻線１２０ｂを備える。そして、二次巻線１２０ｂの一端がグラウンドに接続され、他端が整流用ダイオードＤ５及びダイオードＤ７に接続される。ダイオードＤ７で整流された二次巻線１２０ｂの出力は、放電灯点灯装置５ｄの制御電圧Ｖｃｃとして供給される。この二次巻線１２０ｂによる制御電源Ｖｃｃは、制御回路部１０３のインバータ制御回路１０６、駆動回路１０７が動作状態となった場合に必要とされる比較的大きな消費電流を供給する機能を有し、インバータ制御回路１０６、駆動回路１０７の待機時に必要とされる比較的小さな消費電流を供給するための図略の待機時制御電源とは別に構成されることで、放電灯点灯装置５ｅの待機時消費電力を抑制しながらも、動作状態時には必要な消費電流を供給することを目的とした構成要素である。
【０１５７】
一方、ダイオードＤ５で整流された二次巻線１２０ｂの出力は、抵抗Ｒ１９を介して、無負荷検出回路１０９におけるダイオードＤ４、コンデンサＣ１０、コンパレータ１０４の接続点に接続されている。そして、二次巻線１２０ｂ、ダイオードＤ５、抵抗Ｒ１９によって発振時電圧供給源１１８ｄが構成され、二次巻線１２０ｂの出力が、ダイオードＤ５、抵抗Ｒ１９を介して直流電圧Ｅ２として用いられている。すなわち、二次巻線１２０ｂの出力を分流して、発振時電圧供給源１１８ｄの直流電圧Ｅ２が生成されている。
【０１５８】
その他の構成は図１に示す放電灯点灯装置５と同様であるのでその説明を省略し、以下本実施の形態の動作について説明する。
【０１５９】
まず、放電灯点灯装置５ｄにおける放電灯ＦＬ１，ＦＬ２を点灯させる動作や、接続不良等の不良を検出して放電灯を点灯させない、あるいは消灯させる動作は、図１に示す放電灯点灯装置５と同様であるので、その説明を省略する。
【０１６０】
次に、発振時電圧供給源１１８ｄの動作について説明する。まず、インバータ制御回路１０６によってトランジスタＱ１，Ｑ２のオン・オフ動作が開始され、放電灯ＦＬ１，ＦＬ２を点灯させるための電力供給が開始される前は、トランスＴ２に電流が流れないので二次巻線１２０ｂには電圧が発生しない。そして、トランジスタＱ１，Ｑ２のオン・オフ動作の開始後にトランスＴ２に電流が流れて直流電圧Ｅ２が出力される。これにより、発振時電圧供給源１１８ｄは、図１に示す発振時電圧供給源１１８と同様に機能するので、図１０に示す放電灯点灯装置５ｅ及びこれを用いた照明器具は、図１に示す放電灯点灯装置５と同様の効果を奏することができる。
【０１６１】
また、検出用電源１１５についても、発振時電圧供給源１１８ｄと同様に二次巻線１２０ｂの出力を用いて直流電圧Ｅ１を出力してもよく、または図５の放電灯点灯装置５ａで用いた検出用電源１１５ａと同様の構成としてもよい（図１０内の破線参照）。
【０１６２】
（第７実施形態）
次に、本発明の第７の実施の形態による放電灯点灯装置について説明する。図１１は、本発明の第７の実施の形態による放電灯点灯装置の構成の一例を示す回路図である。
【０１６３】
図１１に示す放電灯点灯装置５ｆと図１に示す放電灯点灯装置５とでは、下記の点で異なる。まず、図１１に示す放電灯点灯装置５ｆでは、トランジスタＱ２と並列に、直流成分カット用コンデンサＣ６、予熱用トランスＴ２の直列回路からなる予熱回路１１９ｂが接続されている。さらに、トランスＴ１は、二次巻線１１０，１１１，１１２を備えず、トランスＴ２が二次巻線１１０，１１１，１１２を備える。
【０１６４】
さらに、トランジスタＱ２の両端間にコンデンサＣ１２とダイオードＤ９の直列回路が接続され、ダイオードＤ９の両端間にはダイオードＤ８とコンデンサＣ１３の直列回路が接続されている。ダイオードＤ９はアノードをグラウンドに接続し、ダイオードＤ９のカソードはダイオードＤ８のアノードに接続される。そして、コンデンサＣ１２，Ｃ１３、ダイオードＤ８，Ｄ９によって制御電源供給部１２０ｃが構成され、ダイオードＤ８とコンデンサＣ１３の接続点がダイオード７を介して放電灯点灯装置５ｅの制御電圧Ｖｃｃとして供給される。この制御電源供給部１２０ｃによる制御電源Ｖｃｃは、制御回路部１０３のインバータ制御回路１０６、駆動回路１０７が動作状態となった場合に必要とされる比較的大きな消費電流を供給する機能を有し、インバータ制御回路１０６、駆動回路１０７の待機時に必要とされる比較的小さな消費電流を供給するための図略の待機時制御電源とは別に構成されることで、放電灯点灯装置５ｆの待機時消費電力を抑制しながらも、動作状態時には必要な消費電流を供給することを目的としている。また、制御電源供給部１２０ｃは、トランジスタＱ１，Ｑ２のスイッチングノイズを抑制するスナバ回路としての機能も備えている。
【０１６５】
また、ダイオードＤ５で整流された制御電源供給部１２０ｃの出力は、抵抗Ｒ１９を介して、無負荷検出回路１０９におけるダイオードＤ４、コンデンサＣ１０、コンパレータ１０４の接続点に接続されている。すなわち、制御電源供給部１２０ｃの出力を分流して、発振時電圧供給源１１８ｅの直流電圧Ｅ２が生成されている。
【０１６６】
その他の構成は図１に示す放電灯点灯装置５と同様であるのでその説明を省略し、以下本実施の形態の動作について説明する。
【０１６７】
まず、放電灯点灯装置５ｆにおける放電灯ＦＬ１，ＦＬ２を点灯させる動作や、接続不良等の不良を検出して放電灯を点灯させない、あるいは消灯させる動作は、図１に示す放電灯点灯装置５と同様であるので、その説明を省略する。
【０１６８】
次に、発振時電圧供給源１１８ｅの動作について説明する。まず、インバータ制御回路１０６によってトランジスタＱ１，Ｑ２のオン・オフ動作が開始され、放電灯ＦＬ１，ＦＬ２を点灯させるための電力供給が開始される前は、トランジスタＱ２の両端に印加される電圧は略０Ｖであり、制御電源供給部１２０ｃのコンデンサＣ１３には電圧が発生しない。そして、トランジスタＱ１，Ｑ２のオン・オフ動作の開始後には、トランジスタＱ１がターンオフする際に、トランスＴ１  →コンデンサＣ１  →コンデンサＣ１２  →ダイオードＤ８  →コンデンサＣ１３  →放電灯ＦＬ２  →放電灯ＦＬ１の経路でコンデンサＣ１２，Ｃ１３の充電電流が流れ、トランジスタＱ２がターンオフする際には、トランスＴ１  →放電灯ＦＬ１  →放電灯ＦＬ２  →ダイオードＤ９  →コンデンサＣ１２  →コンデンサＣ１の経路でコンデンサＣ１２のみ放電される。すなあち、このコンデンサＣ１３（第７のコンデンサ）の充電電圧によって、発振時電圧供給源１１８ｅの制御電圧Ｖｃｃが生成されるとともに、発振時電圧供給源１１８ｅの直流電圧Ｅ２が生成される。
【０１６９】
これにより、発振時電圧供給源１１８ｅは、図１に示す発振時電圧供給源１１８と同様に機能するので、図１１に示す放電灯点灯装置５ｆ及びこれを用いた照明器具は、図１に示す放電灯点灯装置５と同様の効果を奏することができる。
【０１７０】
また、検出用電源１１５についても、発振時電圧供給源１１８ｅと同様に制御電源供給部１２０ｃの出力を用いて直流電圧Ｅ１を出力してもよく、または図５の放電灯点灯装置５ａで用いた検出用電源１１５ａと同様の構成としてもよい（図１１内の破線参照）。
【０１７１】
また、予熱回路１１９ｂは、直流成分カット用コンデンサＣ６、予熱用トランスＴ２に直列にトランジスタＱ４を設けて、電源投入後から先行予熱の開始までの期間、及び先行予熱モードの期間はトランジスタＱ４をオンさせ、以後はトランジスタＱ４をオフさせてもよく、さらにランプ寿命維持のために点灯時の予熱電流を調節する目的で、トランジスタＱ４の両端に図示しないコンデンサを設けてもよい。
【０１７２】
なお、制御電圧Ｖｃｃの供給源として、図９に示す二次巻線１２０ａ、図１０に示す二次巻線１２０ｂ、図１１に示す制御電源供給部１２０ｃを例示したが、適正な制御電源の供給のためには、二次巻線１２０ａ、二次巻線１２０ｂ、制御電源供給部１２０ｃを適宜組み合わせて使用してもよい。
【０１７３】
また、発振時電圧供給源１１８，１１８ａ〜１１８ｅは、電源投入時、待機時、停止時においてはローレベルの直流電圧を出力し、放電灯ＦＬ１，ＦＬ２への電力供給が開始されるとハイレベルの直流電圧を出力するように構成することによって、電源投入時の無負荷検出回路１０９による検出動作が妨げられることはなく、放電灯ＦＬ１，ＦＬ２の点灯中に、異常負荷によるランプ電圧の低下や周囲温度の変化によるランプ電圧の低下が発生しても、コンデンサＣ１０には発振時電圧供給源から十分な充電電流が供給されるので、充電電圧Ｖｃ１０の電圧は基準電圧ＶrefNを超えるレベルに維持され、上述の背景技術で説明した間欠発振の繰り返しは発生しない。
【０１７４】
また、検出用電源１１５，１１５ａ，１１５ｂも、電源投入時、待機時、停止時においてはローレベルの直流電圧を出力し、放電灯ＦＬ１，ＦＬ２への電力供給が開始されるとハイレベルの直流電圧を出力するように構成すればよい。
【図面の簡単な説明】
【０１７５】
【図１】本発明の第１の実施形態に係る放電灯点灯装置を示す回路図である。
【図２】同上の照明器具の外観の一例を示す斜視図である。
【図３】同上の動作を説明するための波形図である。
【図４】同上のインバータの発振動作を説明するための図である。
【図５】本発明の第２の実施形態に係る放電灯点灯装置の構成を示す回路図である。
【図６】インバータの発振動作が開始される前における放電灯点灯装置の直流等価回路を示す図である。
【図７】本発明の第３の実施の形態による放電灯点灯装置の構成を示す回路図である。
【図８】本発明の第４の実施の形態による放電灯点灯装置の構成を示す回路図である。
【図９】本発明の第５の実施の形態による放電灯点灯装置の構成を示す回路図である。
【図１０】本発明の第６の実施の形態による放電灯点灯装置の構成を示す回路図である。
【図１１】本発明の第７の実施の形態による放電灯点灯装置の構成を示す回路図である。
【図１２】背景技術に係る放電灯点灯装置の構成を示す回路図である。
【図１３】（ａ）〜（ｈ）背景技術に係る放電灯点灯装置のランプ電圧の変動を示す波形図である。
【符号の説明】
【０１７６】
５  放電灯点灯装置
１０２  電源部
１０３  制御回路部
１０４，１０５  コンパレータ
１０８  フィラメント不良検出回路
１０９  無負荷検出回路
１１５  検出用電圧源
１１８  発振時電圧供給源
ＦＬ１，ＦＬ２  放電灯
Ｆ１，Ｆ２，Ｆ３，Ｆ４  フィラメント
Ｒ７  抵抗（第５の抵抗）
Ｒ８〜Ｒ１０  抵抗（第２〜第４の抵抗）
Ｒ１２  抵抗（第１の抵抗）
Ｃ８  コンデンサ（第２のコンデンサ）
Ｃ１０  コンデンサ（第１のコンデンサ）
Ｑ１，Ｑ２  トランジスタ
【図１】
2008108639.tif 000003
【図２】
2008108639.tif 000004
【図３】
2008108639.tif 000005
【図４】
2008108639.tif 000006
【図５】
2008108639.tif 000007
【図６】
2008108639.tif 000008
【図７】
2008108639.tif 000009
【図８】
2008108639.tif 000010
【図９】
2008108639.tif 000011
【図１０】
2008108639.tif 000012
【図１１】
2008108639.tif 000013
【図１２】
2008108639.tif 000014
【図１３】
2008108639.tif 000015